(57)【要約】      （修正有）【課題】セルラネットワークの制御の下でピアトゥピア通信を確立し、転送を実行するための方法および装置を提供する。【解決手段】無線送信／受信ユニット（ＷＴＲＵ）は、ピアトゥピア通信で用いられる時間リソースのパターンを示している構成情報を、無線ネットワークの基地局から受信し、少なくとも１つのピアＷＴＲＵへ、ピアトゥピア通信で用いられるパターンにおける時間リソースのうちの１つで制御情報を送信する。制御情報は、制御情報を受信することを意図された少なくとも１つのピアＷＴＲＵを含むピアグループを示しているグループ識別子（ＩＤ）、および、ピアデータの送信のために用いられるリソースのインジケーションを含む。ＷＴＲＵは、少なくとも１つのピアＷＴＲＵへ、制御情報で示されたピアトゥピア通信で用いられるリソースでピアデータを送信する。【選択図】なし【特許請求の範囲】
【請求項１】
無線送信／受信ユニット（ＷＴＲＵ）であって、
構成情報を無線ネットワークの基地局から受信するように構成された受信機であって、前記構成情報は、ピアトゥピア通信で用いられる時間リソースのパターンを示している、受信機と、
少なくとも１つのピアＷＴＲＵへ、ピアトゥピア通信で用いられる前記パターンにおける前記時間リソースのうちの１つで制御情報を送信し、前記制御情報は、前記制御情報を受信することを意図された前記少なくとも１つのピアＷＴＲＵを含むピアグループを示しているグループ識別子（ＩＤ）、および、ピアデータの送信のために用いられるリソースのインジケーションを含み、
前記少なくとも１つのピアＷＴＲＵへ、ピアトゥピア通信で用いられる前記示されたリソースでピアデータを送信する
ように構成された送信機と
を備えたことを特徴とするＷＴＲＵ。
【請求項２】
前記受信機は、前記基地局から、前記ピアデータを送信するための電力制御情報およびサブキャリアの割り当てを受信するようにさらに構成されたことを特徴とする請求項１に記載のＷＴＲＵ。
【請求項３】
前記ピアトゥピア通信は、イベントトリガされることを特徴とする請求項１に記載のＷＴＲＵ。
【請求項４】
プロセッサをさらに備え、
前記プロセッサは、時間同期される前記ピアグループ内の前記１または複数のピアＷＴＲＵへの経路損失を決定するように構成されたことを特徴とする請求項１に記載のＷＴＲＵ。
【請求項５】
前記無線ネットワークは、ロングタームエボリューション（ＬＴＥ）ネットワークであることを特徴とする請求項１に記載のＷＴＲＵ。
【請求項６】
無線送信／受信ユニット（ＷＴＲＵ）によって、構成情報を無線ネットワークの基地局から受信するステップであって、前記構成情報は、ピアトゥピア通信で用いられる時間リソースのパターンを示している、ステップと、
前記ＷＴＲＵによって、少なくとも１つのピアＷＴＲＵへ、ピアトゥピア通信で用いられる前記パターンにおける前記時間リソースのうちの１つで制御情報を送信するステップであって、前記制御情報は、前記制御情報を受信することを意図された前記少なくとも１つのピアＷＴＲＵを含むピアグループを示しているグループ識別子（ＩＤ）、および、ピアデータの送信のために用いられるリソースのインジケーションを含む、ステップと、
前記ＷＴＲＵによって、前記少なくとも１つのピアＷＴＲＵへ、ピアトゥピア通信で用いられる前記示されたリソースでピアデータを送信するステップと
を含むことを特徴とする方法。
【請求項７】
前記ＷＴＲＵによって、前記基地局から、前記ピアデータを送信するための電力制御情報およびサブキャリアの割り当てを受信するステップ、をさらに含むことを特徴とする請求項６に記載の方法。
【請求項８】
前記ピアトゥピア通信は、イベントトリガされることを特徴とする請求項６に記載の方法。
【請求項９】
時間同期される前記ピアグループ内の前記１または複数のピアＷＴＲＵへの経路損失を決定するステップ、をさらに含むことを特徴とする請求項６に記載の方法。
【請求項１０】
前記無線ネットワークは、ロングタームエボリューション（ＬＴＥ）ネットワークであることを特徴とする請求項６に記載の方法。
【発明の詳細な説明】
【技術分野】
【０００１】
［背景技術］
（関連出願の相互参照）
本願は、参照により本明細書に組み込まれている、２０１０年１１月４日に出願した米国特許仮出願第６１／４１０，１４６号明細書、２０１１年３月３日に出願した米国特許仮出願第６１／４４８，９４１号明細書、および、２０１１年６月８日に出願した米国特許仮出願第６１／４９４，７２１号明細書の利益を主張するものである。
【０００２】
セルラネットワークでは、いくつかの状態および対応する動作が、複数の無線送信／受信ユニット（ＷＴＲＵ）および少なくとも１つの基地局（ＢＳ）を含むネットワークについて定義され得る。非連結モードで、ＷＴＲＵは、そのおおまかな地理的エリアを認識することができ、ＷＴＲＵがどこにページングされることになるかをネットワークが知るように、そのネットワークに地理的エリアの変更を通知することができる。ＷＴＲＵは、非連結モード中にページングのために監視することができる。その地理的エリアを知るために、ＷＴＲＵは、その隣接エリア内の少なくとも１つのセルを認識する、または他のセルを探索して十分な情報を取得してそのエリアを認識する必要があり得る。
【０００３】
必要なときに、ＷＴＲＵは、非連結モードから連結モードに切り替えることができる。それを行うために、ＷＴＲＵは、そのエリア内の最も強いセルを識別し、必要な情報を受信してそのアクセスモードを決定することができる。ＷＴＲＵは、一般的な（コンテンションに基づく）チャネルを使用してセルにアクセスすることができる。いくらかの対話の後、ＷＴＲＵは、接続モードで必要に応じて接続（サービスフロー）を確立することができる。接続が確立された後は、ＷＴＲＵは、リソースをそれに割り当てさせることができ、必要に応じて追加の帯域幅を要求することができる。
【０００４】
ネットワークへの／からのデータの中継で協力すること、または基地局への／からのデータフローなしで局所的にデータを通信することがＷＴＲＵにとって望ましいことがある。場合によりネットワークによる支援を得て、ＷＴＲＵが少なくとも１つの他のＷＴＲＵとの結合を識別し保持できるようにすることによってそのような協力をサポートするには、様々な手順が必要である。
【発明の概要】
【０００５】
セルラネットワークの制御下でピアトゥピア通信および転送を確立するための方法および装置が説明される。探索する無線送信／受信ユニット（ＷＴＲＵ）は、基地局によって制御される少なくとも１つの発見可能なＷＴＲＵからタイミング信号を受信することができる。探索するＷＴＲＵは、その探索するＷＴＲＵとその発見可能なＷＴＲＵの間の無線リンクの品質（すなわち、経路損失）を推定し、その発見可能なＷＴＲＵを制御する基地局にその推定された無線リンクの品質を報告するかどうかを決定することができる（たとえば、基地局によって確立された閾値に基づく）。タイミング信号の電力は、任意の所与の時間の送信電力が知られ、探索するＷＴＲＵによって無線リンク品質の推定のために使用可能となるように、所定のステップでランプアップすることができる。タイミング信号は、１次プリアンブルまたは２次プリアンブルのうちの少なくとも１つを含み得る。あるいは、タイミング信号を受信した後、その探索するＷＴＲＵは、少なくとも１つの発見可能なＷＴＲＵにハンドシェーク探索信号を送信することができ、この少なくとも１つの発見可能なＷＴＲＵは、別のタイミング信号およびネットワークアクセス情報を送信することによって応答することができる。
【図面の簡単な説明】
【０００６】
以下のような添付の図面とともに例として与えられる以下の説明から、より詳細な理解を得ることができる。
【図１Ａ】１つまたは複数の開示される実施形態が実装され得る、例示的通信システムを示す図である。
【図１Ｂ】図１Ａに示す通信システム内で使用され得る例示的な無線送信／受信ユニット（ＷＴＲＵ）を示す図である。
【図１Ｃ】図１Ａに示す通信システム内で使用され得る例示的無線アクセスネットワークおよび例示的コアネットワークを示す図である。
【図２】アクセス初期化手順を実行するように構成された探索するＷＴＲＵおよび発見可能なＷＴＲＵを含む例示的ネットワークを示す図である。
【図３Ａ】探索するＷＴＲＵと発見可能なＷＴＲＵの間の十分な同期化を達成するために使用される手順の流れ図である。
【図３Ｂ】探索するＷＴＲＵと発見可能なＷＴＲＵの間の十分な同期化を達成するために使用される手順の流れ図である。
【図４】スーパーフレーム内のタイミング信号（ＴＳ）の配置の一例を示す図である。
【図５】時分割複信（ＴＤＤ）フレーム内のハンドシェーク探索信号（ＨＳＳ）としてのサウンディングの送信機会の一例を示す図である。
【図６】基地局、２つの発見可能なＷＴＲＵおよび２つの探索するＷＴＲＵによって使用される複数のスーパーフレームの一例を示す図である。
【図７】探索するＷＴＲＵおよび発見可能なＷＴＲＵが基地局の制御下にあるときに実装される例示的手順を示す図である。
【図８】図７の手順を実行するために使用される例示的基地局のブロック図である。
【発明を実施するための形態】
【０００７】
以下で参照されるとき、「無線送信／受信ユニット（ＷＴＲＵ）」という専門用語は、ユーザ機器（ＵＥ）、移動局、固定またはモバイル加入者ユニット、ページャ、セルラ電話、携帯情報端末（ＰＤＡ）、コンピュータ、または、無線環境で動作する能力のある任意の他のタイプのユーザデバイスを含むが、これらに限定されない。ＷＴＲＵは、非インフラストラクチャノードでもよい。
【０００８】
以下で参照されるとき、「探索するＷＴＲＵ」という専門用語は、ピアを発見またはこれと結合しようと試みているＷＴＲＵを含むがこれに限定されない。
【０００９】
以下で参照されるとき、「発見可能なＷＴＲＵ」という専門用語は、探索するＷＴＲＵによって発見され得るＷＴＲＵを含むがこれに限定されない。
【００１０】
以下で参照されるとき、「基地局」という専門用語は、ノードＢ、サイトコントローラ、アクセスポイント（ＡＰ）、または、ワイヤレス環境で動作する能力のある任意の他のタイプのインターフェースデバイスを含むがこれらに限定されない。
【００１１】
図１Ａは、その中で１つまたは複数の開示される実施形態が実装され得る例示的通信システム１００を示す。通信システム１００は、複数のワイヤレスユーザに音声、データ、ビデオ、メッセージング、ブロードキャストなどの内容を提供する、多重アクセスシステムでもよい。通信システム１００は、ワイヤレス帯域幅を含むシステムリソースの共用により、そのような内容に複数のワイヤレスユーザがアクセスできるようにすることができる。たとえば、通信システム１００は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、単一キャリアＦＤＭＡ（ＳＣ−ＦＤＭＡ）、などの１つまたは複数のチャネルアクセス方法を使用することができる。
【００１２】
図１Ａに示すように、通信システム１００は、ＷＴＲＵ１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含み得るが、開示される実施形態は任意の数のＷＴＲＵ、基地局（ＢＳ）、ネットワーク、および／またはネットワーク要素を企図することが理解されよう。ＷＴＲＵ１０２ａ、１０２ｂ、１０２ｃ、１０２ｄの各々は、ワイヤレス環境で動作および／または通信するように構成された任意のタイプのデバイスでもよい。例として、ＷＴＲＵ１０２ａ、１０２ｂ、１０２ｃ、１０２ｄは、ワイヤレス信号を送信および／または受信するように構成することができ、ユーザ機器（ＵＥ）、移動局、固定またはモバイル加入者ユニット、ページャ、セルラ電話、携帯情報端末（ＰＤＡ）、スマートフォン、ラップトップ、ネットブック、パーソナルコンピュータ、ワイヤレスセンサ、家庭用電化製品などを含み得る。
【００１３】
通信システム１００はまた、基地局１１４ａおよび基地局１１４ｂを含み得る。基地局１１４ａ、１１４ｂの各々は、ＷＴＲＵ１０２ａ、１０２ｂ、１０２ｃ、１０２ｄのうちの少なくとも１つとワイヤレスでインターフェースして、コアネットワーク１０６、インターネット１１０、および／またはその他のネットワーク１１２などの１つまたは複数の通信ネットワークへのアクセスを容易にするように構成された任意のタイプのデバイスでもよい。例として、基地局１１４ａ、１１４ｂは、ベーストランシーバ基地局（ＢＴＳ）、ノードＢ、進化型ノードＢ（ｅＮＢ）、ホームノードＢ（ＨＮＢ）、ホームｅＮＢ（ＨｅＮＢ）、サイトコントローラ、アクセスポイント（ＡＰ）、無線ルータなどでもよい。基地局１１４ａ、１１４ｂは各々単一の要素として図示されるが、基地局１１４ａ、１１４ｂは、任意の数の相互接続された基地局および／またはネットワーク要素を含み得ることが、理解されよう。
【００１４】
基地局１１４ａは、基地局コントローラ（ＢＳＣ）、無線ネットワークコントローラ（ＲＮＣ）、中継ノードなどの他の基地局および／またはネットワーク要素（図示せず）もまた含み得るＲＡＮ１０４の部分でもよい。基地局１１４ａおよび／または基地局１１４ｂは、セル（図示せず）と称され得る特定の地理的領域内で無線信号を送信および／または受信するように構成され得る。そのセルはさらに、セルセクタに分割され得る。たとえば、基地局１１４ａと関連付けられたセルは、３つのセクタに分割され得る。したがって、一実施形態では、基地局１１４ａは、３つの送受信機、すなわちセルの各セクタに１つの送受信機、を含み得る。別の実施形態では、基地局１１４ａは、多入力多出力（ＭＩＭＯ）技術を使用することができ、それによって、セルの各セクタについて複数の送受信機を使用することができる。
【００１５】
基地局１１４ａ、１１４ｂは、任意の適切な無線通信リンク（たとえば、無線周波数（ＲＦ）、マイクロ波、赤外線（ＩＲ）、紫外線（ＵＶ）、可視光線など）でもよいエアーインターフェース１１６を介して、ＷＴＲＵ１０２ａ、１０２ｂ、１０２ｃ、１０２ｄのうちの１つまたは複数と通信することができる。エアーインターフェース１１６は、任意の適切な無線アクセス技術（ＲＡＴ）を使用して、確立され得る。
【００１６】
より具体的には、前述のように、通信システム１００は、多重アクセスシステムでもよく、ＣＤＭＡ、ＴＤＭＡ、ＦＤＭＡ、ＯＦＤＭＡ、ＳＣ−ＦＤＭＡなどの１つまたは複数のチャネルアクセス方式を使用することができる。たとえば、ＲＡＮ１０４内の基地局１１４ａおよびＷＴＲＵ１０２ａ、１０２ｂ、１０２ｃは、広帯域ＣＤＭＡ（ＷＣＤＭＡ（登録商標））を使用するエアーインターフェース１１６を確立することができるユニバーサルモバイル電気通信システム（ＵＭＴＳ）地上波無線アクセス（ＵＴＲＡ）などの無線技術を実装することができる。ＷＣＤＭＡは、高速パケットアクセス（ＨＳＰＡ）および／または進化型ＨＳＰＡ（ＨＳＰＡ＋）などの通信プロトコルを含み得る。ＨＳＰＡは、高速ダウンリンク（ＤＬ）パケットアクセス（ＨＳＤＰＡ）および／または高速アップリンク（ＵＬ）パケットアクセス（ＨＳＵＰＡ）を含み得る。
【００１７】
別の実施形態では、基地局１１４ａおよびＷＴＲＵ１０２ａ、１０２ｂ、１０２ｃは、ロングタームエボリューション（ＬＴＥ）および／またはＬＴＥアドバンスト（ＬＴＥ−Ａ）を使用するエアーインターフェース１１６を確立することができる進化型ＵＴＲＡ（Ｅ−ＵＴＲＡ）などの無線技術を実装することができる。
【００１８】
他の実施形態では、基地局１１４ａおよびＷＴＲＵ１０２ａ、１０２ｂ、１０２ｃは、ＩＥＥＥ８０２．１６（すなわち、ＷｉＭＡＸ（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ））、ＣＤＭＡ２０００、ＣＤＭＡ２０００ＩＸ、ＣＤＭＡ２０００ＥＶ−ＤＯ（ｅｖｏｌｕｔｉｏｎ−ｄａｔａ  ｏｐｔｉｍｉｚｅｄ）、ＩＳ−２０００（Ｉｎｔｅｒｉｍ  Ｓｔａｎｄａｒｄ  ２０００）、ＩＳ−９５（Ｉｎｔｅｒｉｍ  Ｓｔａｎｄａｒｄ  ９５）、ＩＳ−８５６（Ｉｎｔｅｒｉｍ  Ｓｔａｎｄａｒｄ  ８５６）、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）、ＥＤＧＥ（ｅｎｈａｎｃｅｄ  ｄａｔａ  ｒａｔｅｓ  ｆｏｒ  ＧＳＭ  ｅｖｏｌｕｔｉｏｎ）、ＧＳＭ／ＥＤＧＥ  ＲＡＮ（ＧＥＲＡＮ）などの無線技術を実装することができる。
【００１９】
図１Ａ内の基地局１１４ｂは、ワイヤレスルータ、ＨＮＢ、ＨｅＮＢ、またはＡＰでもよく、たとえば、事業所、自宅、車、キャンパスなどの局所的エリア内でのワイヤレス接続性を促進するための任意の適切なＲＡＴを使用することができる。一実施形態では、基地局１１４ｂおよびＷＴＲＵ１０２ｃ、１０２ｄは、ＩＥＥＥ８０２．１１などの無線技術を実装してワイヤレスローカルエリアネットワーク（ＷＬＡＮ）を確立することができる。別の実施形態では、基地局１１４ｂおよびＷＴＲＵ１０２ｃ、１０２ｄは、ＩＥＥＥ８０２．１５などの無線技術を実装してワイヤレスパーソナルエリアネットワーク（ＷＰＡＮ）を確立することができる。さらに別の実施形態では、基地局１１４ｂおよびＷＴＲＵ１０２ｃ、１０２ｄは、セルラに基づくＲＡＴ（たとえば、ＷＣＤＭＡ、ＣＤＭＡ２０００、ＧＳＭ、ＬＴＥ、ＬＴＥ−Ａなど）を使用してピコセルまたはフェムトセルを確立することができる。図１Ａに示すように、基地局１１４ｂは、インターネット１１０への直接接続を有し得る。したがって、基地局１１４ｂは、コアネットワーク１０６を介してインターネット１１０にアクセスすることを必要とされなくてもよい。
【００２０】
ＲＡＮ１０４は、ＷＴＲＵ１０２ａ、１０２ｂ、１０２ｃ、１０２ｄのうちの１つまたは複数にインターネットプロトコル（ＶｏＩＰ）サービスを介して音声、データ、アプリケーション、および／または音声を提供するように構成された任意のタイプのネットワークでもよい、コアネットワーク１０６と通信し得る。たとえば、コアネットワーク１０６は、呼制御、料金請求サービス、モバイル位置ベースのサービス、プリペイド通話、インターネット接続、ビデオ配信などを提供することができ、および／または、ユーザ認証などの高水準のセキュリティ機能を実行することができる。図１Ａには示さないが、ＲＡＮ１０４および／またはコアネットワーク１０６は、ＲＡＮ１０４または異なるＲＡＴと同じＲＡＴを使用する他のＲＡＮと直接または間接通信し得ることが理解されよう。たとえば、Ｅ−ＵＴＲＡ無線技術を使用していることがあるＲＡＮ１０４に接続されることに加えて、コアネットワーク１０６はまた、ＧＳＭ無線技術を使用する別のＲＡＮ（図示せず）と通信し得る。
【００２１】
コアネットワーク１０６はまた、ＰＳＴＮ１０８、インターネット１１０、および／または他のネットワーク１１２にアクセスするためのＷＴＲＵ１０２ａ、１０２ｂ、１０２ｃ、１０２ｄのゲートウェイとしての機能を果たすことができる。ＰＳＴＮ１０８は、ＰＯＴＳ（ｐｌａｉｎ  ｏｌｄ  ｔｅｌｅｐｈｏｎｅ  ｓｅｒｖｉｃｅ）を提供する回線交換電話網を含み得る。インターネット１１０は、送信制御プロトコル（ＴＣＰ）、ユーザデータグラムプロトコル（ＵＤＰ）およびＴＣＰ／ＩＰスーツ内のインターネットプロトコル（ＩＰ）などの一般的な通信プロトコルを使用する相互接続されたコンピュータネットワークおよびデバイスのグローバルシステムを含み得る。ネットワーク１１２は、他のサービスプロバイダによって所有および／または操作されるワイヤードまたはワイヤレス通信ネットワークを含み得る。たとえば、ネットワーク１１２は、ＲＡＮ１０４または異なるＲＡＴと同じＲＡＴを使用し得る１つまたは複数のＲＡＮに接続された別のコアネットワークを含み得る。
【００２２】
通信システム１００内のＷＴＲＵ１０２ａ、１０２ｂ、１０２ｃ、１０２ｄのうちのいくつかまたはすべては、多重モード機能を含み得る、すなわち、ＷＴＲＵ１０２ａ、１０２ｂ、１０２ｃ、１０２ｄは、異なるワイヤレスリンクを介して異なるワイヤレスネットワークと通信するための複数の送受信機を含み得る。たとえば、図１Ａに示すＷＴＲＵ１０２ｃは、セルラベースの無線技術を使用し得る基地局１１４ａと、および、ＩＥＥＥ８０２無線技術を使用し得る基地局１１４ｂと通信するように構成され得る。
【００２３】
図１Ｂは、図１Ａに示す通信システム１００内で使用され得る例示的ＷＴＲＵ１０２を示す。図１Ｂに示すように、ＷＴＲＵ１０２は、プロセッサ１１８、送受信機１２０、送信／受信要素（たとえば、アンテナ）１２２、スピーカ／マイクロフォン１２４、キーパッド１２６、ディスプレイ／タッチパッド１２８、取外し不可能なメモリ１３０、取外し可能メモリ１３２、電源１３４、グローバルポジショニングシステム（ＧＰＳ）チップセット１３６、および周辺装置１３８を含み得る。ＷＴＲＵ１０２は、実施形態と整合したままで前述の要素の任意のサブコンビネーションを含み得ることが、理解されよう。
【００２４】
プロセッサ１１８は、ＤＳＰコア、コントローラ、マイクロコントローラ、特定用途向け集積回路（ＡＳＩＣ）、フィールドプログラマブルゲートアレイ（ＦＰＧＡ）回路、集積回路（ＩＣ）、状態機械などと関連付けられた、汎用プロセッサ、専用プロセッサ、従来のプロセッサ、デジタル信号プロセッサ（ＤＳＰ）、マイクロプロセッサ、１つまたは複数のマイクロプロセッサでもよい。プロセッサ１１８は、信号符号化、データ処理、電力制御、入力／出力処理、および／または、ＷＴＲＵ１０２がワイヤレス環境で動作できるようにする任意の他の機能性を実行することができる。プロセッサ１１８は、送信／受信要素１２２に結合され得る送受信機１２０に結合され得る。図１Ｂは、別個の構成要素としてプロセッサ１１８および送受信機１２０を示すが、プロセッサ１１８および送受信機１２０は、電子パッケージまたはチップ内でともに統合され得る。
【００２５】
送信／受信要素１２２は、エアーインターフェース１１６を介して基地局（たとえば、基地局１１４ａ）に信号を送信する、またはそこから信号を受信するように構成され得る。たとえば、一実施形態では、送信／受信要素１２２は、ＲＦ信号を送信および／または受信するように構成されたアンテナでもよい。別の実施形態では、送信／受信要素１２２は、たとえば、ＩＲ、ＵＶ、または可視光線信号を送信および／または受信するように構成されたエミッタ／検出器でもよい。さらに別の実施形態では、送信／受信要素１２２は、ＲＦおよび光信号の両方を送信および／または受信するように構成され得る。送信／受信要素１２２は、ワイヤレス信号の任意の組合せを送信および／または受信するように構成され得る。
【００２６】
加えて、送信／受信要素１２２は、単一の要素として図１Ｂに示されるが、ＷＴＲＵ１０２は、任意の数の送信／受信要素１２２を含み得る。より具体的には、ＷＴＲＵ１０２は、ＭＩＭＯ技術を使用することができる。したがって、一実施形態では、ＷＴＲＵ１０２は、エアーインターフェース１１６を介してワイヤレス信号を送信および受信するための２つ以上の送信／受信要素１２２（たとえば、複数のアンテナ）を含み得る。
【００２７】
送受信機１２０は、送信／受信要素１２２によって送信されることになる信号を変調するようにおよび送信／受信要素１２２によって受信される信号を復調するように構成され得る。前述のように、ＷＴＲＵ１０２は、多重モード機能を有し得る。したがって、送受信機１２０は、たとえば、ＵＴＲＡおよびＩＥＥＥ８０２．１１などの複数のＲＡＴを介してＷＴＲＵ１０２が通信できるようにするための複数の送受信機を含み得る。
【００２８】
ＷＴＲＵ１０２のプロセッサ１１８は、スピーカ／マイクロフォン１２４、キーパッド１２６、および／またはディスプレイ／タッチパッド１２８（たとえば、液晶ディスプレイ（ＬＣＤ）ディスプレイユニットまたは有機発光ダイオード（ＯＬＥＤ）ディスプレイユニット）に結合可能であり、そこからユーザ入力データを受信することができる。プロセッサ１１８はまた、スピーカ／マイクロフォン１２４、キーパッド１２６、および／またはディスプレイ／タッチパッド１２８にユーザデータを出力することができる。加えて、プロセッサ１１８は、取外し不可能なメモリ１３０および／または取外し可能メモリ１３２などの任意のタイプの適切なメモリからの情報にアクセスすること、およびそこでデータを記憶することができる。取外し不可能なメモリ１３０は、ランダムアクセスメモリ（ＲＡＭ）、読取り専用メモリ（ＲＯＭ）、ハードディスク、または任意の他のタイプのメモリ記憶デバイスを含み得る。取外し可能メモリ１３２は、加入者識別モジュール（ＳＩＭ）カード、メモリスティック、セキュアデジタル（ＳＤ）メモリカードなどを含み得る。他の実施形態で、プロセッサ１１８は、サーバまたはホームコンピュータ（図示せず）などのＷＴＲＵ１０２上に物理的に置かれていないメモリからの情報にアクセスすることおよびそこでデータを記憶することができる。
【００２９】
プロセッサ１１８は、電源１３４から電力を受信することができ、ＷＴＲＵ１０２内のその他の構成要素に電力を分配するおよび／またはそれを制御するように構成され得る。電源１３４は、ＷＴＲＵ１０２に電力を供給するための任意の適切なデバイスでもよい。たとえば、電源１３４は、１つまたは複数の乾電池（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含み得る。
【００３０】
プロセッサ１１８はまた、ＷＴＲＵ１０２の現在の位置に関する位置情報（たとえば、経度および緯度）を提供するように構成され得るＧＰＳチップセット１３６に結合され得る。ＧＰＳチップセット１３６からの情報に加えて、またはその代わりに、ＷＴＲＵ１０２は、基地局（たとえば、基地局１１４ａ、１１４ｂ）からエアーインターフェース１１６を介して位置情報を受信すること、および／または、２つ以上の近隣の基地局から受信される信号のタイミングに基づいてその位置を決定することができる。ＷＴＲＵ１０２は、実施形態と整合したままで任意の適切な位置決定方法を用いて位置情報を取得することができる。
【００３１】
プロセッサ１１８は、追加の特徴、機能性および／またはワイヤードもしくはワイヤレス接続性を提供する１つまたは複数のソフトウェアおよび／またはハードウェアモジュールを含み得る他の周辺装置１３８にさらに結合され得る。たとえば、周辺装置１３８は、加速度計、ｅコンパス、衛星送受信機、デジタルカメラ（写真またはビデオ用の）、ユニバーサルシリアルバス（ＵＳＢ）ポート、振動デバイス、テレビジョン送受信機、ハンドフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザなどを含み得る。
【００３２】
図１Ｃは、図１Ａに示す通信システム１００内で使用され得る例示的ＲＡＮ１０４および例示的コアネットワーク１０６を示す。ＲＡＮ１０４は、エアーインターフェース１１６を介してＷＴＲＵ１０２ａ、１０２ｂ、１０２ｃと通信するためにＩＥＥＥ８０２．１６無線技術を使用するアクセスサービスネットワーク（ＡＳＮ）でもよい。
【００３３】
図１Ｃに示すように、ＲＡＮ１０４は、基地局１４０ａ、１４０ｂ、１４０ｃ、およびＡＳＮゲートウェイ１４２を含み得るが、ＲＡＮ１０４は、実施形態と整合したままで、任意の数の基地局およびＡＳＮゲートウェイを含み得ることが理解されよう。基地局１４０ａ、１４０ｂ、１４０ｃは、ＲＡＮ１０４内の特定のセル（図示せず）と各々関連付けることができ、エアーインターフェース１１６を介してＷＴＲＵ１０２ａ、１０２ｂ、１０２ｃと通信するための１つまたは複数の送受信機を各々含み得る。一実施形態では、基地局１４０ａ、１４０ｂ、１４０ｃは、ＭＩＭＯ技術を実装することができる。したがって、基地局１４０ａは、たとえば、複数のアンテナを使用して、ＷＴＲＵ１０２ａにワイヤレス信号を送信することおよびそこからワイヤレス信号を受信することができる。基地局１４０ａ、１４０ｂ、１４０ｃはまた、ハンドオフトリガ、トンネル確立、無線リソース管理、トラフィック分類、サービスの品質（ＱｏＳ）ポリシ強制などの移動性管理機能を含み得る。ＡＳＮゲートウェイ１４２は、トラフィック集約ポイントの機能を果たすことができ、ページング、加入者プロファイルのキャッシング、コアネットワーク１０６への経路指定などに関与することができる。
【００３４】
ＷＴＲＵ１０２ａ、１０２ｂ、１０２ｃとＲＡＮ１０４の間のエアーインターフェース１１６は、ＩＥＥＥ８０２．１６仕様を実装することができる。加えて、ＷＴＲＵ１０２ａ、１０２ｂ、１０２ｃの各々は、コアネットワーク１０６との論理インターフェース（図示せず）を確立することができる。ＷＴＲＵ１０２ａ、１０２ｂ、１０２ｃとコアネットワーク１０６の間の論理インターフェースは、認証、認可、ＩＰホスト構成管理、および／または移動性管理のために使用され得る。
【００３５】
基地局１４０ａ、１４０ｂ、１４０ｃの各々の間の通信リンクは、ＷＴＲＵハンドオーバおよび基地局間のデータの転送を円滑に進めるためのプロトコルを含み得る。基地局１４０ａ、１４０ｂ、１４０ｃとＡＳＮゲートウェイ１４２の間の通信リンクは、ＷＴＲＵ１０２ａ、１０２ｂ、１０２ｃの各々と関連付けられた移動性事象に基づく移動性管理を円滑に進めるためのプロトコルを含み得る。
【００３６】
図１Ｃに示すように、ＲＡＮ１０４は、コアネットワーク１０６に接続され得る。ＲＡＮ１０４とコアネットワーク１０６の間の通信リンクは、たとえば、データ転送および移動性管理機能を円滑に進めるためのプロトコルを含み得る。コアネットワーク１０６は、モバイルＩＰホームエージェント（ＭＩＰ−ＨＡ）１４４、認証、認可、アカウンティング（ＡＡＡ）サーバ１４６、およびゲートウェイ１４８を含み得る。前述の要素の各々がコアネットワーク１０６の部分として図示されるが、これらの要素の任意の１つは、コアネットワークオペレータ以外のエンティティによって所有および／または操作され得ることが、理解されよう。
【００３７】
ＭＩＰ−ＨＡ１４４は、ＩＰアドレス管理に責任を負うことができ、異なるＡＳＮおよび／または異なるコアネットワーク間でＷＴＲＵ１０２ａ、１０２ｂ、１０２ｃがローミングできるようにし得る。ＭＩＰ−ＨＡ１４４は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を円滑に進めることができる。ＡＡＡサーバ１４６は、ユーザ認証およびユーザサービスのサポートに責任を負うことができる。ゲートウェイ１４８は、他のネットワークとの相互作用を円滑に進めることができる。たとえば、ゲートウェイ１４８は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の固定電話通信デバイスの間の通信を円滑に進めることができる。加えて、ゲートウェイ１４８は、他のサービスプロバイダによって所有および／または操作される他のワイヤードもしくはワイヤレスネットワークを含み得るネットワーク１１２へのアクセスをＷＴＲＵ１０２ａ、１０２ｂ、１０２ｃに提供することができる。
【００３８】
図１Ｃには示さないが、ＲＡＮ１０４は他のＡＳＮに接続することができ、コアネットワーク１０６は他のコアネットワークに接続することができる、ことが理解されよう。ＲＡＮ１０４と他のＡＳＮの間の通信リンクは、ＲＡＮ１０４とその他のＡＳＮの間のＷＴＲＵ１０２ａ、１０２ｂ、１０２ｃの移動性を調整するためのプロトコルを含み得る。コアネットワーク１０６とその他のコアネットワークの間の通信リンクは、ホームコアネットワークと訪問されたコアネットワークの間の相互作用を円滑に進めるためのプロトコルを含み得る。
【００３９】
セルラネットワークのための様々な非伝統的アプリケーションは、機械対機械（Ｍ２Ｍ）通信または機械タイプ通信（ＭＴＣ）などの人間によって開始されない通信および厳密に階層的ではない接続形態を伴うと考えられている。Ｍ２Ｍ通信またはＭＴＣは、他の機械または人間のいずれかと通信するために機械によって開始される通信として定義される。本明細書に記載の方法は、ＭＴＣ通信、ならびに他のタイプの通信に適用され得る。
【００４０】
ＷＴＲＵ対ＷＴＲＵ直接通信（ピアトゥピア通信とも称される）を含むネットワーク接続形態は、受信地域拡張、スループット改善などのために使用され得る。これらのネットワーク接続形態はまた、接続性のための代替経路を提供することによって、必要な場合にはノードを見つけること（「発見すること」）によって、ネットワーク頑強性を著しく増すことができる。しかし、ＷＴＲＵは、全く可動性がないまたは非常に低い可動性を有することがある。
【００４１】
必要に応じて、ノード発見、経路指定、結合および帯域幅要求の機能性を含む、ＷＴＲＵがネットワークとのリンクを見つけるおよび確立する方法に関するＷＴＲＵの従来の動作の変更が必要である。ＷＴＲＵは、場合によりネットワークによって支援されて、ネットワークへの／からのデータの中継を助けること、または基地局への／からのデータフローなしで局所的にデータを通信することのいずれかのために、１組の他のＷＴＲＵとの結合を識別および保持するように適用され得る。ネットワークでのまたはそれなしでのクライアント協力、中継およびＷＴＲＵ対ＷＴＲＵ通信が、ＩＥＥＥ８０２．１６およびその任意の修正、ロングタームエボリューション（ＬＴＥ）、ユニバーサルモバイル電気通信システム（ＵＭＴＳ）などを含むがこれらに限定されない任意のタイプのワイヤレス通信システム内で実装され得る。
【００４２】
いくつかの使用事例の機械タイプ通信のピアトゥピア接続の例が、本明細書に記載される。ノード発見および結合は、一例として、以下の使用事例に対応することができる：（１）Ｍ２Ｍ通信、（２）ネットワーク頑強性、および（３）スループットの向上。多数の異なる使用事例が存在可能であり、本明細書で開示される例は、任意の他の使用事例に適用可能であり得る。
【００４３】
Ｍ２Ｍ通信事例の一例は、スマートグリッドアプリケーションでもよい。それは、低または非移動性、待ち時間に対する低感度および厳しいバッテリ消費量要件を特徴とし得る。このアプリケーションについて、通常のノード発見シナリオでは、エリア内の基地局を検出することができない１つのＷＴＲＵは、他のＷＴＲＵを発見し、それと結合してそのための中継の役割を果たそうと試みることができる。低移動性により、本ノード発見は、稀な事象である。
【００４４】
ネットワーク頑強性事例の一例は、インフラストラクチャノードの故障を含むノード故障から回復する必要がある代表的なネットワークである。そのようなネットワークは、公衆保護および障害復旧（ＰＰＤＲ）（「第１の応答者」としても知られる）のために、そして、Ｍ２Ｍアプリケーション（たとえば、監視）で使用され得る。これらのネットワークでは、より高い移動性が必要とされ得る。より高い移動性は、より高いノード発見事象率をもたらす。Ｍ２Ｍ通信事例でのように、デバイスのうちのいくつかは、ネットワークへのアクセスを有さないことがあり、または、ネットワークインフラストラクチャノードが存在しないことがある。
【００４５】
スループットの向上事例のために、探索するＷＴＲＵおよび発見可能なＷＴＲＵの両方が、必要とされる制御信号伝送に十分ないくらかの名目データ率で基地局で通信することができる。それらは、それらの間でまたはネットワークにおよびネットワークからのいずれかで、はるかに高いデータ率でデータを送信および受信する必要があり得る。
【００４６】
異なる使用事例は、異なるノード発見および結合機構を必要とし得る。すべての使用事例に対応することができるフレームワークの例が開示される。
【００４７】
以下は、使用事例から独立した設計の例示的目的である：特定の物理層内で、現在の規格への影響を最小限にする、インフラストラクチャノードもしくは他のＷＴＲＵのプリアンブルもしくは他の信号へのノード発見のために必要な信号（たとえばブリアンブル）によって作られる干渉を最小限にすること、バッテリ消費量を最小限にすること、待ち時間を最小限にすること、発見および結合を迅速にすること、「正規の」ユーザとネットワーク（インフラストラクチャノードおよびスペクトル）を共用すること、リソースの制御、無線リソースの再使用を増やすことによるシステムスループットの改善など。
【００４８】
Ｍ２Ｍ通信事例（スマートグリッドによって代表されるような）が、本明細書で説明される。この事例は、低または非移動性の多数のデバイスによって代表され得る。データ送信は、一般に、稀であり、比較的高い待ち時間を許容し得る。データ送信は、事象駆動（たとえば、停電）でもよく、その場合、より厳しい待ち時間を必要とする。そのようなスマートグリッドデバイスは、他のタイプのデバイスとネットワークを共用することができる。前述の特徴により、ネットワークエントリおよび再エントリは、稀に起こり得る。ネットワーク内の多数のＭ２Ｍデバイスおよび他のタイプのデバイスとそれを共用する必要のため、発見されるために送信される信号によって作られる干渉は、最小限にされる必要があり得る。
【００４９】
ＷＴＲＵ−ＷＴＲＵノード発見プロセスは、デバイスの電源が入れられるときに実行することができ、確立された結合は、非常に低いおよび非移動性によるさらなる更新なしで適用可能であり得る。ネットワークと関連付けられたＷＴＲＵは、その時間のほとんどでスタンバイモード（すなわち、「休止」）にあってバッテリ消費量を最小限にすることができる。ネットワークアクセスに使用される信号は、可能な限り少ない干渉をもたらし得る。
【００５０】
インフラストラクチャなしのＷＴＲＵ−ＷＴＲＵ対話（公衆保護および障害復旧（ＰＰＤＲ）アプリケーション）が、本明細書に記載される。この事例は、セルラ移動性によって、およびネットワークインフラストラクチャノードの欠落によって、代表され得る。通信がピアトゥピアであるとき、ネットワーク内のモバイルのすべてのペアについてペアワイズアクセスを実行することが実現可能ではないことがある。したがって、アクセスは、データを送信する直前に行われ得る。結果として、アクセスは、速い必要があり得る。バッテリ消費量は重要であるが、恐らく、他の目的より上ではない。ＷＴＲＵ−ＷＴＲＵノード発見は、ピアトゥピアデータ通信の発生に先立つ接続モードへの遷移中に実行することができ、この意味で、トリガされる事象と考えることができる。
【００５１】
基地局の制御下でのＷＴＲＵ−ＷＴＲＵ対話（スループットの向上（ＴＥ）およびＰＰＤＲアプリケーション）が、本明細書で説明される。この事例は、すべてのＷＴＲＵ（すなわち、発見可能なＷＴＲＵおよび探索するＷＴＲＵ）のアクセスによる、セルラアプリケーションについての、そして、それらの間で信号伝達を制御するのに十分なデータ率で動作することができるインフラストラクチャ（基地局または中継局（ＲＳ））ノードに、典型的な移動性によって代表され得る。ＰＰＤＲ事例とは異なり、ネットワークアクセスおよびセットアップはデータ通信に先行し、アクセス待ち時間要件はＰＰＤＲほど厳しくなくてもよい（しかし、Ｍ２Ｍ事例についてよりも厳しい）。ＷＴＲＵ−ＷＴＲＵノード発見は、中央インフラストラクチャノードを利用することによってトリガされる事象または周期的にスケジュールされるいずれかの事象でもよい。
【００５２】
１つのシナリオでは、ＷＴＲＵ−ＷＴＲＵ直接通信（たとえば、２つのＷＴＲＵがデータのソースおよびシンクである、ピアトゥピア直接通信）が、ＰＰＤＲおよび商用アプリケーション（たとえば直接ビデオストリーミング）の両方に使用され得る。別のシナリオでは、基地局から直接に使用可能なものよりもかなり高いデータ率でのピア中継が使用され得る。
【００５３】
直交周波数分割（ＯＦＤＭ）通信システム内のネットワーク同期化の制約のうちの１つは、ＯＦＤＭシステムが、それらを分けるために様々な送信機からの波形の時間および周波数同期された受信に依存することである。ＩＥＥＥ８０２．１６ｍでのすべての使用可能なアップリンク（ＵＬ）信号は、拡張されたＯＦＤＭシンボル（サイクリックプレフィックス（ＣＰ）を含む）内の基地局で受信され得る。ＷＴＲＵから基地局への正規の送信について、ＷＴＲＵは任意の送信に先立って少なくともダウンリンク（ＤＬ）内で同期され得るので、これは問題になり得ない。基準信号へのアクセスを有さないデバイスは、時間または周波数で同期されなくてもよい。ネットワークへの信号伝達は、電力ランプアップとともに、多数の異なる時間の、および、場合によっては、周波数オフセットを試みることを必要とし得る。そのプロセスは、使用される信号のタイプに応じて、大幅な遅延をもたらし、大量の干渉を作り出すことがある（たとえば、その遅延および干渉は、ＯＦＤＭ信号に特に深刻であり得る）。
【００５４】
Ｍ２Ｍアプリケーションでは、ネットワーク発見は稀に生じ、非常に頻繁に更新される必要がないので、ＷＴＲＵによるそれへのアクセスを単純にするために、中継に通常は組み込まれる全機能性（たとえば、プリアンブル、制御チャネル、全ネットワーク情報のブロードキャストなど）は、ＷＴＲＵには組み込まれなくてもよい。それを行うことは、バッテリの電力を不必要に使い果たし、他の基地局への大量の干渉を作り出す。（この状況は、モバイルの数がフェムト基地局の数をはるかに上回り得ることを除いて、フェムト基地局とあまり異ならない）。一例によれば、関連付けられたデバイスは、その目的でほとんどまたは全く信号を送信しなくてもよい。それらの送信は、デバイススリープ周期と調整され得る。
【００５５】
一例によれば、関連状態での発見可能なＷＴＲＵは、低電力でわずかなリソースを使用して、送信することができる。正規のアクセスとは異なり、ノード発見では、発見可能なＷＴＲＵは、アクセスパラメータに関する情報をわずかに送信するまたは全く送信せず、そして、探索するＷＴＲＵはそれをわずかに受信するまたは全く受信しない。したがって、課題は、それによってそのようなパラメータが発見および結合手順中に学習され、ブロードキャストせず、けれども柔軟なアクセスを提供する、プロセスを設計することである。一例では、発見可能なＷＴＲＵによって送信される信号によって作られる干渉は、低電力レベルで同リソースを使用して同アクセス情報を送信するＷＴＲＵの一グループによって最小化される。したがって、グループに基づく予備アクセス段階には、ＷＴＲＵ固有のアクセスが続く。
【００５６】
インフラストラクチャのないＷＴＲＵ−ＷＴＲＵ直接通信では、可能な限り少ないステップが、速く堅固なネットワークアクセスのために実行され得る。（比較的）少数のデバイスおよび余裕のあるバッテリ考慮（Ｍ２Ｍ通信と比較して）を考えて、正規に送信される情報は、干渉またはバッテリ寿命のいずれかへの大きな影響なしで、より過度になり得る。ＰＰＤＲアプリケーションは、ユニキャスト（ピア対ピア）ならびにマルチキャスト（ピア対複数ピア）アプリケーションをサポートすることができる。
【００５７】
基地局の制御下でのＷＴＲＵ−ＷＴＲＵ直接通信では、探索するＷＴＲＵおよび発見可能なＷＴＲＵの両方が、基地局に接続され、したがって、既に互いにほぼ同期されると仮定され、その基地局は、それらの存在およびニーズを既に知っている。基地局は、その場合、その探索するＷＴＲＵと発見可能なＷＴＲＵの間の経路損失（すなわち、無線リンクの品質）を知る必要がある。
【００５８】
図２は、探索するＷＴＲＵ２０５およびアクセス初期化手順を実行するように構成された発見可能なＷＴＲＵ２１０を含むネットワーク２００を示す。探索するＷＴＲＵ２０５は、受信機２１５、プロセッサ２２０および送信機２２５を含み得る。
【００５９】
発見可能なＷＴＲＵ２１０は、受信機２３０、プロセッサ２３５および送信機２４０を含み得る。受信機２３０は、発見可能なＷＴＲＵ２１０にタイミング信号２４５を送信するように指示する基地局（図示せず）からのコマンド信号を受信するように構成され得る。プロセッサ２３５は、そのコマンド信号に従ってタイミング信号２４５を送信するように送信機２４０を制御するように構成され得る。そのタイミング信号は、１次プリアンブルまたは２次プリアンブルのうちの少なくとも１つを含み得る。
【００６０】
探索するＷＴＲＵ２０５内の受信機２１５は、発見可能なＷＴＲＵ２１０からタイミング信号２４５を受信するように構成可能であり、それに応じて、プロセッサ２２０は、発見可能なＷＴＲＵ２１０にＨＳＳ２５０を送信するように送信機２２５を制御するように構成され得る。発見可能なＷＴＲＵ２１０内の受信機２３０は、ＨＳＳ２５０を受信するようにさらに構成され得る。
【００６１】
この手順は、Ｍ２Ｍアプリケーションに適用され得るが、これに限定されない。発見可能なＷＴＲＵ２１０は既に基地局に接続されているが、探索するＷＴＲＵ２０５はされていないと仮定することができる。最初に、探索するＷＴＲＵ２０５は、エリア内のネットワークの存在、タイミング、またはパラメータの情報を有さないことがある。発見可能なＷＴＲＵ２１０は、タイミング信号（ＴＳ）２４５を送信する（たとえば、周期的に）ことによって、探索するＷＴＲＵにタイミング情報を提供することができる。ＴＳ２４５は、受信タイミングに無反応でもよい。したがって、何らかの波形が、タイミング情報なしで受信され得るが、そのような情報はやはり決定可能である。たとえば、時間領域内でそれ自体を繰り返す任意のシーケンスが、その遅れに対して時間ウィンドウを継続的に自己相関させることによって、検出され得る。１次拡張型プリアンブル（ＰＡプリアンブル）がＴＳ２４５として使用可能であり、それは、それ自体のタイミング情報およびシステム帯域幅情報のうちの少なくとも１つを提供することができる。追加情報が提供される必要がある場合（たとえば、グループメンバシップ）、ＴＳ２４５は、ＰＡプリアンブルおよび２次拡張型プリアンブル（ＳＡプリアンブル）を含むことができ、それによって、ＳＡプリアンブルがグループにマップされる。ＰＡプリアンブルは、シーケンスによってシステム帯域幅を運搬することができる。ＳＡプリアンブルは、セルＩＤまたはＷＴＲＵ−ＩＤを運搬することができる。
【００６２】
発見可能なＷＴＲＵ２１０は、アイドルモード／状態または連結モード／状態の間で推移することができ、それは、ある一定の所定の期間それを使用不可能にするスリープパターンを割り当てられ得る。発見可能なＷＴＲＵ２１０がアイドルモード／状態にあるとき、それは、探索するＷＴＲＵ２０５などの潜在的探索するＷＴＲＵによって発見され得るために、目覚めるように構成され得る。目覚める時期は、ページングを受信することを意図された時期と同時に起こり得る。発見可能なＷＴＲＵ２１０が接続モード／状態にあるとき、それはスリープ（すなわち、不連続受信（ＤＲＸ））パターンにあり得る。したがって、任意のそのようなスリープパターンは、その「起きた」時期が発見されるのに十分であるように、ＷＴＲＵ２１０によって同期させることができ、それがグループの一部である場合、そのグループのＷＴＲＵは、同時に起きるように同期され得る。発見のために目覚める期間のタイミングおよび長さは、他の目的で構成された任意の他のスリープパターンから独立し得る。
【００６３】
複数の発見可能なＷＴＲＵ２１０が、同リソースで同時に同ＴＳ２４５を送信することができる。受信機は、多経路での単一の送信としてそのような波形を解釈することができる。短い伝播時間のため、これは問題にならない可能性がある。同信号（すなわち、ＴＳ２４５）を送信する複数の発見可能なＷＴＲＵ２１０の利点は、複数のソースから受信される信号が、互いに干渉するのではなくて、建設的に合計されることである。結果として、送信電力は、低減され得る。
【００６４】
ＴＳ２４５のタイミングについて２つのシナリオが存在し得る。１つのシナリオでは、ピアグループ内の発見可能なＷＴＲＵが、同時に同波形を送信することができる。代替えシナリオでは、異なるピアグループが、同時または異なる時間のいずれかに、異なるＴＳ２４５を送信することができる。同波形を送信することの利益は、ＴＳ２４５の送信電力の低減であり得る。あるいは、または加えて、各発見可能なＷＴＲＵ２１０は、異なる時間にＴＳ２４５を送信することができる。これは、平均発見時間を低減することによって、多数の潜在的発見可能なＷＴＲＵ２１０が存在するときに、有益になり得る。
【００６５】
送信時期は、周期的またはランダムに選ばれてもよい。後者の事例では、発見可能なＷＴＲＵ２１０は、それ自体の送信時期を決定することができる。たとえば、これらは、発見可能なＷＴＲＵ２１０がＤＲＸまたはスリープ状態にあるときに、決定され得る。両方の変形形態について、発見可能なＷＴＲＵ２１０は、同時に、受信（たとえば、基地局プリアンブル）、および送信（たとえば、ＴＳ２４５）しなくてもよい。
【００６６】
図２のネットワーク２００内の基地局（図示せず）は、どのＴＳを送信すべきか、それをいつ送信すべきか、どの電力レベルでそれを送信すべきか、および／または、どのサブキャリアがＴＳシーケンスを運ぶことができるかを発見可能なＷＴＲＵ２１０に指示することができる。そのような送信の周期性（すなわち、送信間の時間間隔の分布）は、発見可能なＷＴＲＵ２１０のネットワークエントリ時間および／またはバッテリ消費量に影響を与え得る。発見可能なＷＴＲＵ２１０がネットワークに間接的に接続されるとき、その指示は中継され得る（中継を介してまたは他のＷＴＲＵを介して）。
【００６７】
ＴＳ２４５の送信の長さおよび頻度（周期的かどうか）は、ＷＴＲＵ−ＷＴＲＵ発見成功率、その待ち時間、ＷＴＲＵ移動性への耐性、干渉オーバヘッドおよびバッテリ消費量に大きな影響を及ぼし得る。探索するＷＴＲＵ２０５は、ネットワークと関連付けられていないので、それはネットワークとも発見可能なＷＴＲＵ２１０とも同期されなくてもよい。結果として、探索するＷＴＲＵ２０５は、タイムラインを適切に位置合わせしてＴＳ送信スケジュールに従ってＴＳ２４５を受信することが可能でなくてもよい。ＴＳ２４５を受信するために、探索するＷＴＲＵ２０５は、１つの所定の最も長いＴＳ送信期間に少なくとも亘って各シンボルを継続的に受信しようと試みることができる（ＴＳ２４５のサブキャリア構成はまた、所定でもよく、したがって、探索するＷＴＲＵ２１０に知られていてもよい）。探索するＷＴＲＵ２０５は、所定のＴＳ送信スケジュールと結合されて、時間領域内に発見可能なＷＴＲＵ２１０送信と同時に起こる探索するＷＴＲＵ２０５受信の満足のできる確率を生み出すことができ、任意の所定のスケジュールに従って、ＴＳ２４５の受信を試みることができる。ランダムに選ばれたＴＳ時期のように、受信の確率は、その正確なタイミングにではなく、累積オープンウィンドウ時間に依存し得るので、これは可能であり得る。
【００６８】
探索するＷＴＲＵ２０５がＴＳ２４５を受信しない場合、探索するＷＴＲＵ２０５は、待ち、再び試みることができる。待ち時間、試みの数および故障基準は、要望どおり、探索するＷＴＲＵ２０５で構成され得る。ＴＳ２４５を受信したとき、探索するＷＴＲＵ２０５は、以下の情報を取得することができる：ネットワークタイミング（ＩＥＥＥ８０２．１６ｍ  ＰＡプリアンブルは、シンボル、フレームおよびサブフレームタイミングを提供する）、システム帯域幅（ＩＥＥＥ８０２．１６ｍ  ＰＡプリアンブルの使用のために真の、ＴＳ２４５に応じた）、発見可能なＷＴＲＵ２１０が関連付けられたセル識別およびタイプ（ＩＥＥＥ８０２．１６ＰＡ／ＳＡプリアンブルを使用する場合）、経路損失（すなわち、リンクの品質）情報、（ＴＳ２４５送信電力レベルが固定および所定の場合）、応答が保証されるかどうかを決定するための探索するＷＴＲＵ２０５のピアグループ識別（ピアグループ情報が、ＴＳ２４５シーケンスに組み込まれる場合）など。
【００６９】
この時点で、ネットワーク２００または発見可能なＷＴＲＵ２１０は、探索するＷＴＲＵ２０５の存在を知らない。したがって、図２に示すように、探索するＷＴＲＵ２０５は、最低限として、その存在を指示するハンドシェーク探索信号（ＨＳＳ）２５０を送信することができる。発見可能なＷＴＲＵ２１０は、ＴＳ２４５を送信した後、そのようなＨＳＳ２５０を監視することができる。リスニングリソースは所定でもよく、マッピングは、探索するＷＴＲＵ２０５に知られている、または発見可能なＷＴＲＵ２１０から探索するＷＴＲＵ２０５によって受信される信号から決定することができる（たとえば、ＴＳのタイプ）。リスニングリソースの特質は、探索するＷＴＲＵ２０５によって使用される情報および波形に依存する。一例によれば、その波形は、単純な時間領域波形でもよい。この事例では、リスニングリソースは、ＴＳ２４５、および／または、探索するＷＴＲＵ２０５の送信に適用されるサブキャリアに関連する所定の時間の１つまたは複数のリスニングウィンドウでもよい。探索するＷＴＲＵ２０５の欠落で、ネットワーク２００内の追加される干渉は、いくつかの（同様に短い）リスニングウィンドウがその後に続く非常に短い波形の稀な送信になり得る。したがって、近隣発見プロセスを助けるための信号（ＴＳ２４５）によって作られる干渉は、最小限になり得る。
【００７０】
探索するＷＴＲＵ２０５は、波形（たとえば、図２のＨＳＳ２５０）を送信して、発見可能なＷＴＲＵ２１０および／またはネットワーク２００にそれ自体を知らせることができる（「初期ハンドシェーク」とも呼ばれる）。干渉を最小限にするために、探索するＷＴＲＵ２０５は、ＨＳＳ２５０を一度送信する、または、低電力でＨＳＳ２５０の送信を開始し、その場合にランプアップが失敗した、応答が受信されるもしくは最大許容電力に達するまで、リスニングウィンドウの間送信電力をランプアップすることができる。ランプアップは、経路損失（すなわち、探索するＷＴＲＵ２０５と発見可能なＷＴＲＵ２１０の間で確立される無線リンクの品質）を推定するために発見可能なＷＴＲＵ２１０によって使用され得る。たとえ経路損失推定に必要ではなくても、ランプアップは、不必要な干渉の低減で利益を有し得る。
【００７１】
探索するＷＴＲＵ２０５は、どの発見可能なＷＴＲＵ２１０が応答しようとするかを決定することができる。探索するＷＴＲＵ２０５は、許可されたピアグループからＴＳ２４５に応答してＨＳＳ２５０を送信することができる。この場合には、基地局から送信される信号（たとえば、ＴＳ２４５）へのピアグループのマッピングは、事前に知られていてもよい（たとえば、ハードコードされる）。初期電力レベル、プリアンブル間隔、および電力ランプアップステップは、所定でもよい。リスニングウィンドウで、発見可能なＷＴＲＵ２１０は、いくつのランプアップステップが生じたかを知ることができる。
【００７２】
発見可能なＷＴＲＵ２１０は、たとえば、発見可能なＷＴＲＵ２１０と探索するＷＴＲＵ２０５との間の経路損失（すなわち、無線リンクの品質）を推定することができ、その推定をネットワーク２００内の基地局（図示せず）に報告することができる。適切な閾値が使用されていることを確保するために、基地局は、すべての受信された信号、または、そのような信号に由来する統計値（平均および散布度など）、必要があればその閾値が調整され得るように、それらが閾値を超えるかどうかを報告するように発見可能なＷＴＲＵ２１０に指示することができる。ランプアップステップサイズおよび初期電力の知識で、発見可能なＷＴＲＵ２１０は、送信電力を決定することができ、経路損失を推定することができる。あるいは、ランプアップは行われなくてもよく、ＨＳＳ２５０電力は、固定または知られていてもよい。たとえば、ＨＳＳ２５０の電力レベルは、ＴＳ２４５電力レベルと同じでもよい。ＨＳＳリソースは、ＴＳ２４５に関して所与でもよい（たとえば、ＴＳ２４５の後の所与の時間を開始する第ｎのフレームごとの固定リソースを使用して）。
【００７３】
ＩＥＥＥ８０２．１６ｍ内のＨＳＳの例は、ＰＡプリアンブル（ＴＳ２４５と同じ）、ＩＥＥＥ８０２．１６ｍ測距プリアンブル（同期されたまたは非同期されたデバイスのいずれかの）、および／または、ＩＥＥＥ８０２．１６ｍサウンディング信号でもよい。探索するＷＴＲＵ２０５は、ここで、発見可能なＷＴＲＵ２１０と概ね同期させることができ、ＨＳＳ２５０は、自己同期する必要はなくてもよい。ＨＳＳ２５０としてのサウンディングのリソースは、ＴＳ送信時期の割当てを介して基地局によって黙示的に割り当てられ得る。基地局は、他のデバイスによるサウンディングからそれらの時間をクリアすることができる。たとえば、ＴＤＤについて、ＴＳ２４５を含むフレーム内の第２のＵＬサブフレーム内の第１のＯＦＤＭＡシンボルは、ＨＳＳ２５０のために予約することができる。ランプアップが使用された場合、次いで、次の時期が割り当てられ得る。ＨＳＳ２５０の識別（ＩＤ）またはタイミングは、受信されたＴＳ２４５に基づいて決定され得る。具体的には、グループＩＤがＴＳ２４５に使用される場合、次いで同グループＩＤが使用され得る。異なるピアグループのＴＳが異なる時間にまたはサブキャリアで送信する場合、次いで、ＨＳＳ２５０は、黙示的にグループ情報を運ぶことができる。これは、探索するＷＴＲＵ２０５で測定されたものとしての経路損失情報をＨＳＳ２５０が運ぶことを可能にする。たとえば、ＩＥＥＥ８０２．１６ｍ  ＰＡプリアンブルおよび／またはＳＡプリアンブルがＨＳＳ２５０に使用される場合、次いで、そのＳＡプリアンブルは、受信された信号レベルにマップされ得る。
【００７４】
ＨＳＳ２５０を受信したすべての発見可能なＷＴＲＵ２１０が必ずしも応答する必要はない。誰が応答するかの決定は、関連情報（たとえば、推定された経路損失）に基づくことができ、分散方式でまたは直接基地局制御の下で行われ得る。具体的には、探索するＷＴＲＵ−発見可能なＷＴＲＵ２０５／２１０経路損失推定値は、前述のように取得可能であり、そして、通常の方式で取得される、探索するＷＴＲＵ−基地局経路損失推定値は、最善の発見可能なＷＴＲＵ２１０を決定するために使用され得る。集中型制御モードでは、ＨＳＳ２５０を受信した発見可能なＷＴＲＵ２１０は、その情報を基地局に送信することができ、そして、基地局は、その情報（たとえば、経路損失推定と、転送ＷＴＲＵの能力、そのバッテリレベル、および／またはそれ自体のトラフィック負荷などの他のパラメータ）に基づいて、どれが応答すべきかを決定することができる。発見可能なＷＴＲＵ２１０と基地局の間の信号伝達負荷を低減するために、十分低い経路損失推定値を得る発見可能なＷＴＲＵ２１０にその信号を制限することが可能である。
【００７５】
発見可能なＷＴＲＵ２１０はそれを受信したときにランプアップに応答しなくてもよく、そして、その情報を中央ノードに送信し、返報での指示を待つことができるので、集中型制御モードは、ランプアップに応答して待ち時間を導入することができ、結果として、探索するＷＴＲＵ２０５による予備のバッテリ消費と、場合によっては失敗したハンドシェークの取り組みをもたらし得る。この往復の遅延の間、ＨＳＳ２５０ランプアップは、まだ進行中でもよい。
【００７６】
あるいは、応答する発見可能なＷＴＲＵ２１０は、少なくとも１つの無線リンクの品質（たとえば、経路損失）の値に基づく閾値を事前に決定することによって、分散方式で制御され得る。その閾値は、ハードワイヤードのまたは特定されない基地局によって信号伝達され得る。トラフィック負荷は、同様の方式で（たとえば、バッファ占有率の閾値によって）考慮され得る。分散された手順は、少なくとも１つの発見可能なＷＴＲＵ２１０が応答し得ることを保証しないことに留意されたい。ＴＳ２４５を受信する任意の発見可能なＷＴＲＵ２１０が、その情報を基地局に送信することができる。その基地局は、その応答パラメータを調整し、それを発見可能なＷＴＲＵ２１０に信号伝達する、および／または、探索するＷＴＲＵ２０５は、何らかの所定の期間が経過した後に、再び試みることができる。この段階での発見可能なＷＴＲＵ２１０の送信電力は、無線リンクの品質の推定から決定され得る。
【００７７】
図２のネットワーク２００は、発見可能なＷＴＲＵ２１０によるブロードキャスト情報の送信をサポートすることができる。その利益は、ほとんどの時間にアクセス情報が必要とされないときに、全アクセス情報の一定のブロードキャストを防ぐことにあり得る。その代わりに、低減された伝送（たとえば、同期化信号に限定された）が、送信され得る。ＴＳ２４５およびＨＳＳ２５０の送信は、基地局タイミングおよびブロードキャスト信号と同じ機能を遂行する発見可能なＷＴＲＵ固有のおよび十分なアクセス情報を適切な発見可能なＷＴＲＵ２１０に送信させる際の第１の段階の役割を果たすことができる。
【００７８】
転送ＷＴＲＵへの短い範囲および低移動性を所与として、第１の段階（すなわち、２つのＷＴＲＵの間でのＴＳ２４５およびＨＳＳ２５０の交換）は、十分な同期化を達成することができ、追加の同期化ステップは必要ではない可能性があると仮定することができる。しかし、追加の同期化ステップが必要である場合、それらは正規の方式で実行され得る。
【００７９】
図３Ａおよび３Ｂは、発見可能なＷＴＲＵへのアクセスを完了するための、前述のステップを含み得る、追加の手順３００および３５０の流れ図である。
【００８０】
図３Ａの手順３００では、第１の段階を完了した後、発見可能なＷＴＲＵ２１０は、一時的（すなわち、セル内で意味のある）でもよいＷＴＲＵ識別（ＩＤ）（すなわち、プリアンブル）を含む識別信号３０５を送信することができる。帯域幅およびタイミング情報が既に使用可能であることを所与として、ＰＡプリアンブルを送信する必要はないことがある。その代わりに、ＳＡプリアンブルは、発見可能なＷＴＲＵ２１０を一意に識別することができる。この信号の短い持続期間は、ＨＳＳ２５０の電力ランプアップを止めることを適切にするが、他の信号もまた、この目的のために使用され得る。
【００８１】
ＨＳＳ２５０が発見可能なＷＴＲＵ２１０の応答３０５の成功した受信に応答して終了された後は、探索するＷＴＲＵ２０５は、所定の時間インスタンスおよびサブキャリア位置で発見可能なＷＴＲＵ２１０のブロードキャスト情報を受信する準備をすることができる。あるいはまたは追加で、発見可能なＷＴＲＵ２１０は、次いで、探索するＷＴＲＵ２０５がどこでブロードキャスト情報にアクセスするかを導出するために使用することができる十分なアクセス情報（たとえば、システム情報（ＳＩ））を送信することができる。探索するＷＴＲＵ２０５からのアクセスは、共通チャネルまたは専用チャネルの使用を介して実行することができる。専用チャネルの使用は、ネットワークアクセスの試みの衝突の低い確率に適切であることがあり、一方、共通チャネルの使用は、より高い衝突確率に適切であり得る。両方の代替で、その情報は、発見可能なＷＴＲＵ２１０のＩＤを含み得る。
【００８２】
図３Ａの手順３００に示すような共通チャネルの使用で、発見可能なＷＴＲＵ２１０は、たとえば、ＷＴＲＵ固有のＰＡプリアンブルおよびＳＡプリアンブル（３０５）、および／または、十分な内容（すなわち、最小限の内容）を有する１次および２次スーパーフレームヘッダ（ＳＦＨ）（３１０）を送信して、探索するＷＴＲＵ２０５へのアクセスを許すことができる。ＳＦＨを受信するとき、探索するＷＴＲＵ２０５は、共通チャネル（「測距」）アクセスパラメータを知ることができ、そして、たとえば、ランダムアクセスチャネル（ＲＡＣＨ）（３１５）を介して、測距手順を実行することができ、それにより、プリアンブルはＷＴＲＵから基地局に送信され、ランプアップされ、そして、それによってＷＴＲＵがいくらかの情報を送り返すことができる応答および帯域幅割当てが存在する。そのプリアンブルＩＤが「正当な」ＩＤである限り、プリアンブルＩＤはＴＳ２４５にマッチすることを必要とされなくてもよい。
【００８３】
ＳＦＨ３１０またはその同等物がその後に続くプリアンブル３０５（すなわち、アクセス情報を含む任意のメッセージ）またはプリアンブル３０５なしのＳＦＨ３１０のいずれかが、送信され得る。それらのうちの第１は、ＨＳＳ位置に関連する知られている位置および／またはそのタイプでもよい。ＨＳＳ２５０を送信した探索するＷＴＲＵ２０５は、どこでその応答を探すかを知っている必要があり得る。したがって、たとえば、その応答は、ＨＳＳ２５０の後に所与の数のサブフレームまたはフレームを送られ得る。加えて、その応答のタイミングは、ＨＳＳ２５０のシーケンスの選択に依存し得る（たとえば、異なるシーケンスは、ＨＳＳ２５０と応答の間の異なる遅延をもたらし得る）。ＳＦＨリソースは、プリアンブル３０５から部分的に決定可能であり得る。ＳＦＨまたはその同等物は、組込み型ＩＤを有し得る。そこにマップされたＩＤを有する２次プリアンブルが使用される場合、そのとき、それは、ＳＦＨ内と同ＩＤを使用することができる。
【００８４】
ＩＤを割り当てるためのいくつかの方法が存在し得る。一実施形態では、ＩＤは、あらゆるＷＴＲＵに割り当てられた一義的ＩＤでもよい。この場合には、プリアンプル単独によってサポートされ得るよりも多いＩＤが存在し得る。ＳＦＨ３１０内のＩＤ情報が、代わりに、使用され得る。あるいは、ＩＤは、プリアンブル（使用される場合）によって暗示されるＩＤと連結され得る。
【００８５】
別の実施形態では、ＩＤは、発見可能なＷＴＲＵ２１０によってランダムに選択され得る。２つ以上の発見可能なＷＴＲＵ２１０が同ＩＤを選択することが可能である。それが起こり、測距のリソースが同一である場合、そのとき、探索するＷＴＲＵ２０５は、それらが応答したときに衝突を作り出し得る発見可能なＷＴＲＵの両方に測距を実際に送信し得る。それを解決するために、各発見可能なＷＴＲＵ２１０は、そのランダムＩＤに加えて、それと連結されることになる第２のランダムＩＤを含み得る。次いで、探索するＷＴＲＵ２０５は、その応答を復号しなくてもよく、そのＨＳＳ２５０をランプアップし、再送信することができ、または、探索するＷＴＲＵ２０５は、１つの応答を復号し、さらなるトランザクションで連結されたＩＤを含むことができる。そのＩＤを有する発見可能なＷＴＲＵ２１０は、応答し続けることができる。
【００８６】
図３Ｂの手順３５０に示すような専用チャネルの使用で、ＳＦＨ送信はスキップすることができ、特定のＵＬリソースを含むリソース割当て３６５が探索するＷＴＲＵ２０５に直接に信号伝達され得る。他のパラメータ（たとえば、多入力多出力（ＭＩＭＯ）モード）もまた、信号伝達され得る。アクセス情報は、ＳＦＨ様の波形で送信され得る。その送信のリソースは、所定でもよい。
【００８７】
競合を解決するために、探索するＷＴＲＵ２０５は、探索するＷＴＲＵ２０５および発見可能なＷＴＲＵ２１０のＩＤを含み得る応答３７０を送信した発見可能なＷＴＲＵ２１０にアクセスすることができる。発見可能なＷＴＲＵ２１０は、探索するＷＴＲＵ２０５のＩＤ（３７５）を送信することによって、応答３７０を確認することができる。他のデータが、追加され得る。
【００８８】
２つ以上の発見可能なＷＴＲＵ２１０のＳＦＨまたはＡ−ＭＡＰ（すなわち、マッピング）送信間のダウンリンク干渉を防ぐために、ＳＦＨまたはＡ−ＭＡＰの送信時間が、ＳＡプリアンブルに続いてランダムに選択され得る。ＳＦＨまたはリソース割当てに使用されるリソースは、プリアンブルから決定され得る、または、所定でもよい。
【００８９】
ＨＳＳへの応答が所与の数のランプアップステップの後に（あるいは最大電力で）受信されなかった場合、探索するＷＴＲＵは、アクセス手順を停止し、いくらかのランダムバックオフ時間の後に再度試みることができる。応答が受信されなかった場合、使用されるチャネルのタイプに応じて、探索するＷＴＲＵは、いくらかのランダムバックオフ時間の後にＨＳＳの送信を再開することができ、または、正規の方式でいくらかのランダムバックオフ時間の後に再び測距を試みることができる。
【００９０】
別の実施形態では、ＴＳは、セルＩＤとは潜在的に異なる複数の発見可能なＷＴＲＵのグループＩＤを運ぶことができる。これは、特に、多数のグループがある場合に有用であることがあり、発見時間が短く維持されることになる。
【００９１】
図４は、ＩＥＥＥ８０２．１６ｍスーパーフレーム４０５内の発見可能なＷＴＲＵによって送信されるＴＳ４００の例示的配置を示す。基地局は、ＴＳ４１０を送信する。発見可能なＷＴＲＵによって送信されるＴＳ４００は、ＳＡプリアンブル４１５およびＰＡプリアンブル４２０を含み得る。この例では、基地局によって送信されるＴＳは、発見可能なＷＴＲＵによって送信されるＴＳ４００のプリアンブル４１５および４２０と一致するＳＡプリアンブル４２５およびＰＡプリアンブル４３０を含み得る。
【００９２】
ＴＳ４００は、探索するＷＴＲＵが受信している間に発見可能なＷＴＲＵが送信するようにセットされたダウンリンク（ＤＬ）アクセスゾーン内で送信され得る。しかし、追加の送信／受信（すなわち、交換）ギャップは、ＴＳ４００により必要ではない。
【００９３】
ＴＳ４００は、あらゆるスーパーフレームを送信される必要はなくてもよい。その配置を表現するために、スーパーフレームは、ＴＳなしで「０」として、グループ「Ａ」のＴＳを含むスーパーフレームは「Ａ」として、そして、グループＢのＴＳを含むスーパーフレームは「Ｂ」として示され得る。したがって、一例として、周期的、単一のグループはＡ０００００００Ａ０００００００Ａ０００００００Ａ…によって表現することができ、２グループはＡ０Ｂ０００００Ａ０Ｂ０００００Ａ０Ｂ０００００Ａ…として表現することができ、そして、ランダムに選ばれた、単一のグループは、Ａ００Ａ０００００００００００００ＡＡ００００００Ａ…として表現することができる。
【００９４】
図５は、ＴＤＤフレーム内のＨＳＳとしてのサウンディングの送信機会の一例を示す。ＨＳＳは、サウンディング信号を使用することができる。ＨＳＳタイミングおよび符号の組合せは、発見可能なＷＴＲＵグループＩＤにそれ自体対応するＴＳ符号に一義的に対応し得る。ＨＳＳは、アクセスゾーン（すなわち、アクセスゾーンのサブフレームの第１のＯＦＤＭＡシンボル）の正規のサウンディング送信期間中に送信され得る。ＨＳＳは、ＵＬアクセスゾーン内で送信可能であり、したがって、追加の送信／受信ギャップは必要とされなくてもよい。経路損失情報は、ＨＳＳに符号化されなくてもよい。
【００９５】
図６は、基地局、２つの発見可能なＷＴＲＵおよび２つの探索するＷＴＲＵによって使用される複数のスーパーフレームの一例を示す。スーパーフレームは、ＨＳＳ６０５、ＳＡプリアンブル６１０、ＰＡプリアンブル６１５、ＳＦＨ６２０およびＴＳ６２５を含み得る。この例では、発見可能なＷＴＲＵ１および発見可能なＷＴＲＵ２は、任意の接続されたデバイスをサポートしないことがあるので、最初にＳＦＨを送信しなくてもよい。しかし、発見可能なＷＴＲＵ１および発見可能なＷＴＲＵ２は、異なる符号を有するＴＳを送信し得る。グループおよび潜在的には経路損失要件を満たしたとき、探索するＷＴＲＵ１および探索するＷＴＲＵ２は、ＨＳＳの（異なる符号の）ランプアップで応答することができる。ＨＳＳが受信されるとき、発見可能なＷＴＲＵ１および発見可能なＷＴＲＵ２は、ＳＦＨと両方のＳＡプリアンブルインスタンスを送信することによって、応答することができる。ＳＦＨは、巡回冗長検査（ＣＲＣ）によって保護され得る。したがって、正当なＳＦＨは、他のデータから識別することが容易であることがある。この時点で、発見可能なＷＴＲＵ動作は、中継信号伝達と同一でもよく、そして、探索するＷＴＲＵは、通常どおりネットワークエントリを実行することができる。
【００９６】
任意の探索するＷＴＲＵと関連付けられていない発見可能なＷＴＲＵは、基地局ＳＦＨへの任意の干渉を作り出すことはできず、それらは、バッテリ電力を消費してそれを送信しない。（ＩＥＥＥ８０２．１６ｍでは、ＳＦＨは、時間の概ね２．５％を送信する発見可能なＷＴＲＵと同等であると考えることができる、各スーパーフレーム内の５ＯＦＤＭＡシンボルを消費し得る。）
【００９７】
別の例では、ＴＳ符号は、ＩＤを運ばなくてもよい（すなわち、すべての発見可能なＷＴＲＵが、すべての探索するＷＴＲＵによって発見され得る）。この手順は、探索するＷＴＲＵがわずかである、およびアタッチメントがごく稀であるときに有用であることがあり、ＴＳエネルギおよび干渉を最小化することが重要である。前述のように、ＴＳは、ＰＡプリアンブルを含み得る。スリープモードにないとき、その送信は、基地局ＰＡプリアンブルと一致し得る。ＰＡプリアンブル符号は、それを発見可能なＷＴＲＵ（基地局ではなくて）として識別することができる。
【００９８】
探索するＷＴＲＵは、ＨＳＳで応答することができる（恐らくは経路損失基準が満たされる場合）。いくつかの探索するＷＴＲＵが、同サウンディング符号を使用し、同時に応答することができる。ＨＳＳは、探索するＷＴＲＵグループまたはデバイスＩＤを運ぶことができる。ＨＳＳを受信したとき（ＩＤおよび経路損失基準が満たされる）、発見可能なＷＴＲＵは、ＳＡプリアンブルおよびＳＦＨの送信を開始することができる。探索するＷＴＲＵは、ネットワークエントリ手順を開始することができる。
【００９９】
別の実施形態では、発見可能なおよび探索するＷＴＲＵの両方が、基地局の制御下にあり得る。これは、高データ率アプリケーション、たとえば、ストリーミングビデオにおける最も適切な（しかしこれに限定されない）スループットの機能強化でもよい。この実施形態は、高データ率のためのピアトゥピアデータ通信および／またはピア中継に適用可能であり得る。
【０１００】
ネットワークが発見の開始に先立って有し得る情報に依存し得るこの事例のいくつかの代替が存在する。その情報は、発見のおよび経路損失を有する主体の特殊性に関連し得る。ＷＴＲＵは、それらがどの他のＷＴＲＵに接続されたいかを事前に知らなくてもよい。これは、ピアトゥピア通信がエリア内にたまたまあるピア間で起こる、ソーシャルネットワーキングまたは他のアプリケーションとの関連でピアトゥピアデータ通信において有用であり得る。そのエリア内にたまたまある任意のピア中継を発見しようと試みるとき、それはまた有用であり得る。このシナリオでは、探索するＷＴＲＵは、ピアトゥピア通信の十分に短い範囲内にある発見可能なＷＴＲＵを見つけたいことがある。あるいはまたは追加で、２つのＷＴＲＵは、互いを探索し、たとえば、それらが基地局を介してサポートすることができるデータ率を増やすことができる。
【０１０１】
任意のシナリオで、基地局がＷＴＲＵの物理的位置に関する情報を有する場合、それは有用であり得る。そのような情報は、ＧＰＳによって、基地局で実行されるビーム形成によって、タイミング事前訂正によって、ＷＴＲＵで測定される位置によって（たとえば、到達時間差（ＴＤＯＡ））、または、それらの組合せによって、取得され得る。そのような位置情報から決定されるものとしての物理的近接は、ピアトゥピア経路損失を予測し得ると仮定され得る。（これは、たとえば、同一のビル内の異なる階に置かれた２つのＷＴＲＵについて明らかに当てはまらない。）両方の仮定が一致すると仮定される場合、そのとき、基地局を介する通信に関連する接続の経済性を予測する（リソース、待ち時間など）そのエリア内のＷＴＲＵの近接マップを構築することがその基地局にとって有用であり得る。その位置情報を最新に保つのは基地局の責任でもよい。したがって、たとえば、アイドル状態にあるＷＴＲＵが発見可能なままである場合、次いで、それらは、必要に応じてそれらの位置情報を更新するようにスケジュールされ得る。
【０１０２】
事前の経路損失推定が存在する場合、基地局は、そのセル内の探索するＷＴＲＵによって検出され得る信号を送信するように発見可能なＷＴＲＵに指示することができる。探索するＷＴＲＵは、特定の近接グループ内に１つまたは複数のＷＴＲＵを含み得る。それらは、発見の試みと発見プロセスの必要な構成の通知を受けることができる。たとえ近接情報が使用可能でない場合でも、その手順は、事実上の近接を割り当てるために、ネットワークによって使用され得る、組込み型経路損失測定を有する。
【０１０３】
ＴＳと類似していてもよい基準信号は、他のＷＴＲＵがそれらの間の経路損失を測定できるようにするために、使用され得る。送信電力は、ネットワークまたは基地局によって指示され得る。たとえば、基地局は、そのエリア内の他のＷＴＲＵがそれを受信することに失敗した場合に、その電力を上げるようにＷＴＲＵに指示することができる。あるいは、または追加で、その送信電力は、所定でもよい。どちらか一方が、実際に、発見範囲を定義し、ＴＳ送信が検出および受信された後は、経路損失導出を可能にする。後者は、発見プロセスに関するオーバヘッドを低減することができる。
【０１０４】
この手順の変形形態では、ＴＳ電力は、任意の所与の時間の送信電力が知られていて、経路損失（ＰＬ）推定のために使用され得るような、所定のステップで、増大させる（ランプアップする）ことができる。送信時間および／または周波数は、ネットワークまたは基地局によって指示することができ、それを受信する必要があるＷＴＲＵに提供され得る。ユーザのグループは、時間および／または周波数または符号で分けることができる。また、周波数リソースは、オーバヘッドを減らすように予め定義することができる。
【０１０５】
この手順について、発見可能なＷＴＲＵおよび探索するＷＴＲＵの両方が、発見時に接続モードにあり、スリープモードにないことが仮定され得る。ＷＴＲＵのスリープパターン（もしあれば）が一致させられることを確認することは基地局の責務でもよい。ユーザまたはグループ識別は、ユーザグループＩＤの符号化と同様に符号化され得る。受信者ＷＴＲＵは、それらが検出することになる１つまたは複数のグループの送信時間および周波数、ならびに送信電力の通知を受けることができる。
【０１０６】
タイミング信号を受信するＷＴＲＵは、基地局に報告することができる。その報告自体は、受信レベルまたは経路損失（無線リンクの品質）および／またはある特定のグループからのＴＳの受信に依存し得る。たとえば、低電力レベルを有する受信された信号、または、高経路損失を有する信号は、基地局に報告されなくてもよい。基地局に信号を報告するかどうかを決定するために使用される閾値が、その基地局に提供され得る。バッテリ状況、その基地局との無線リンクの品質などの他の閾値もまた、基地局への不必要な報告を避けるために、使用され得る。報告される情報は、受信レベルまたは経路損失（すなわち、無線リンクの品質）、ＴＳのＷＴＲＵおよび／またはグループＩＤと時間／周波数などを含み得る。適切な閾値が使用されることを確保するために、基地局は、閾値が必要があれば調節され得るように、それらが閾値を超えても超えなくても、すべての受信された信号、または、そのような信号から導出される統計値（平均および散布度など）を報告するようにＷＴＲＵに指示することができる。
【０１０７】
図７は、探索するＷＴＲＵ７０５および発見可能なＷＴＲＵ７１０が基地局７１５の制御下にあるときに実装される例示的手順７００を示す。発見が基地局７１５によって調整されるとき、探索するＷＴＲＵ７０５は、発見可能なＷＴＲＵ７１０が送信され、両方が同期されたかどうかの知らせを受けることができるので、１つのＴＳの試みが十分であり得る。
【０１０８】
７２０では、近隣発見セットアップ手順が、発見可能なＷＴＲＵ７１０を有する基地局によって、実装され得る。７２５では、近隣発見セットアップ手順が、探索するＷＴＲＵ７０５を有する基地局７１５によって実装され得る。これは、基地局７１５からそれぞれの発見可能なＷＴＲＵ７１０へのユニキャスト信号伝達で実装することができ、あるいは、発見可能なＷＴＲＵ７１０の異なるグループが、異なる役割を引き受けるように基地局７１５によって指示され得る。７３０で、発見可能なＷＴＲＵ７１０は、ＴＳ７３０を探索するＷＴＲＵ７０５に送信することができる。７３５では、探索するＷＴＲＵ７０５は、それが探索するＷＴＲＵ７０５と発見可能なＷＴＲＵ７１０との間で測定した経路損失（すなわち、無線リンクの品質）測定情報と、ＴＳ７３０の受信された符号および基地局７１５に関連するそのタイミングなどの他の情報とを送信することができる。
【０１０９】
１つの受信地域外ＷＴＲＵを有するピアトゥピア通信が、本明細書で説明される。いくつかのプロトコルは、この事例に対応するために、変わる必要があり得るが、ＷＴＲＵ発見のための特定の手順は必要とされなくてもよい。正規の基地局プリアンブルからＴＳ波形を分けることが必要であり得る。たとえば、これは、基地局によって使用されないフレーム内でＴＳを送信することによって、実装され得る。
【０１１０】
グループ化がこの時点で必要とされる場合、そのとき、ＴＳは、図４に示すように、ＰＡプリアンブルおよびＳＡプリアンブルで構成され得る。そうでない場合、ＳＡプリアンブルは、省略され得る。電力レベルは、発見可能なおよび探索するＷＴＲＵの両方に信号伝達され得る。探索するＷＴＲＵは、グループ化をチェックし、経路損失を算定し、特定の基準が満たされる場合、報告を作成することができる。
【０１１１】
インフラストラクチャノードが何も使用可能でないときのアクセス手順が、本明細書で説明される。この手順は、インフラストラクチャノードがエリア内のＷＴＲＵによって受信され得ない事例におけるＰＰＤＲモバイルアプリケーションに適している（しかし、これに限定されない）。この手順は、低アクセス待ち時間およびネットワークエントリの高い率を達成するようになされ得る。
【０１１２】
重要な検討材料は、接続を作成する速度である（接続は、データの送信の直前に作成されるという事実による）。このシナリオのためのピアグループは、サブネットワークを形成することができる加入者のグループとして定義され得る。
【０１１３】
このシナリオにおける通信はサブネットワーク内で生じるが、同キャリアおよび地理的エリア内に存在するサブネットワークを同期させることは、一般に、干渉を低減し、より洗練された干渉管理または低減手順を可能にし、同期されたデバイスはより短い接続セットアップ時間を必要とし得るので、この手順は、所望の数の加入者を同期された状態に維持することができる。
【０１１４】
接続を迅速に確立するための要件は、アクセスための多数のステップを可能にしない。接続を確立するために必要とされる時間を短くするための手段の１つは、可能な限りランダムアクセスを回避することである。本手順は、ＷＴＲＵ  ＩＤを使用することができる。
【０１１５】
接続時間を短くするためには、ネットワーク上のデバイス（接続されていてもいなくても）は、同期された（受信機）でもよく、時間同期化信号（たとえば、ＴＳ）を送信することができる。ピアグループ内の加入者は、同時に同波形を送信することができる。異なるピアグループは、同時にまたは異なる時間にのいずれかで、異なるＴＳを送信することができる。ＰＡプリアンブルおよびＳＡプリアンブルは、グループ化情報が運搬されようとする場合に、使用され得る。ＳＦＨに関連するネットワークエントリパラメータは、ＳＦＨを追加することによって、信号伝達され得る。
【０１１６】
一実施形態によれば、ＴＳを受信したネットワーク内のＷＴＲＵは、それを異なるＴＳ（すなわち、ＴＳ’）に修正し、それを異なる時間に中継することができる。ＴＳ’は、ＴＳからマッピング可能であり得る。時間差は、予め知られていてもよい。中継は、ピアグループに基づいてもよく、そのグループは所定でもよい。
【０１１７】
ペアＴＳ−ＴＳ’関係は、それらのうちの１つを受信することが十分なタイミング情報を提供し、それらが同ＩＤを共用することができるというようなことである。それによって前述の特性が達成され得る、多数の方法が存在する。一例は、ＴＳ’がＴＳに類似した符号を使用すること、そして、ＴＳとＴＳ’との間の符号のマッピングが知られていることである。
【０１１８】
別の例によれば、単一のタイプのＴＳが、使用され得る。ＷＴＲＵは、ＴＳの受信とその送信とを繰り返すことができる。その送信および受信を統制するために、同期化（時間および周波数での）が維持され得るという、および、ＴＳのある一定のごく一部が送信され得るという条件の下で、その決定はＷＴＲＵに残され得る。あるいは、送信／受信パターンは、所定でもよい。
【０１１９】
ＴＳの受信後に有意の要因によってそのタイミングを調節する必要があるＷＴＲＵは、それを送信することを回避することができる。これは、実際に、中継グループから動きの速いＷＴＲＵを取り除き、全体的ネットワーク同期化の品質を改善することができる。結果として、ＷＴＲＵは、同期され得る。ＳＦＨが使用される場合、次いで、ネットワークエントリは、基地局へのＷＴＲＵのそれに続くことができる。それが接続したい発見可能なＷＴＲＵを検出する探索するＷＴＲＵは、その発見可能なＷＴＲＵへの同期されない測距ネットワークエントリを実行することができる。ＳＦＨが使用されない場合、次いで、簡易化されたネットワークアクセスが、起こり得る。
【０１２０】
探索するＷＴＲＵは、どの１つまたは複数の発見可能なＷＴＲＵにそれが接続を形成し得るかを指示しようと試みることができる。探索するＷＴＲＵは、１つまたは複数の発見可能なＷＴＲＵに接続確立信号（ＣＥＳ）を送信することによって、開始することができる。ＣＥＳは、ＩＥＥＥ８０２．１６ｍＳＡプリアンブルなどの探索するＷＴＲＵ  ＩＤと、知られている時間／周波数リソースで送信されるＯＦＤＭ信号とを指示するシーケンスを含み得る。それらは、探索するＷＴＲＵ  ＩＤによって決定され得る。あるいは、そのＯＦＤＭ信号は、リソースのグループからランダムに選択されたリソースで、送信され得る。以下の情報のうちの少なくとも１つもまた、含まれ得る：探索するＷＴＲＵ  ＩＤ（ランダムリソース事例に必要であり得る）、マルチキャスト（共通）データのために使用されることになるＤＬリソース、個々の部分の各ＤＬリソースの発見可能なＷＴＲＵ  ＩＤのリスト、フィードバック（帯域幅要求を含む）のためのＵＬリソース、およびデータ（継続的割当て）のためのＵＬリソース、または、使用される送信電力および探索するＷＴＲＵでの受信される干渉の推定。単一の探索するＷＴＲＵ  ＩＤの代わりに、そのメッセージは、グループＩＤを含み得る。この場合には、ＵＬリソースが、フィードバックおよび帯域幅要求（ＢＲ）のために提供され得る。
【０１２１】
送信電力は、妥当な成功率のために十分に高く設定することができる。そのＩＤを検出する発見可能なＷＴＲＵは、指示されたリソースを介して、応答する。初期送信電力は、パラメータ（送信電力、干渉および自己の測定された受信された信号レベルなど）を使用することによって、決定され得る。
【０１２２】
探索するＷＴＲＵが、指示された発見可能なＷＴＲＵから応答を受信しない場合、それは、電力を上げ、そのプロセスを繰り返すことができるが、すべての受信者ＩＤを繰り返す必要はないことがある。
【０１２３】
この場合の発見可能なＷＴＲＵおよび探索するＷＴＲＵは、接続形態によってではなく、必要性によって、決定され得る。したがって、ＷＴＲＵは、それらが必要な信号を送信する場合に、発見可能でもよい。しかし、２つのＷＴＲＵは、同時に互いへのネットワークエントリを実行することを最後には試みることになり得る。これは、ＴＳとそのエントリ試みとの間のランダム待ち時間を確立することによって、回避され得る。
【０１２４】
ＩＥＥＥ８０２．１６ｍは、異なる目的で使用されるためのいくつかのＵＬおよびＤＬチャネルを定義する。これらは、それらの物理的特徴によって、およびそれらのアクセスモード（スケジュールされた、または議論の余地のある）によって、分類され得る。データチャネルは、ユーザデータおよび媒体アクセス制御（ＭＡＣ）制御メッセージを送信するために、使用され得る。データチャネルは、スケジュールする（継続的にまたは要求ごとに）ことができ、所定の時間／周波数（Ｔ／Ｆ）リソース上にユーザ固有の直交振幅変調（ＱＡＭ）データを含み得る。基準信号（パイロット）が、他のチャネル内に組み込まれ得る。データおよび基準チャネルは、使用不可能な位置または他の情報と、発見されることになるノードへの結果として生じる検出の困難および高オーバヘッドとにより、ノード発見に有益であると考えることはできない。ＵＬフィードバックチャネルは、高オーバヘッドを引き起こす、特定の、所定のフィードバック情報を運び得る。
【０１２５】
非同期ＷＴＲＵの測距プリアンブル（ＲＰ）は、サブフレームおよびサブバンドによって指定される。サブバンドは、セルＩＤによって決定され得る。測距プリアンブルは、循環シフトを有するＺａｄｏｆｆ−Ｃｈｕシーケンスから離れて構築され得る。３２までの初期ＲＰ符号が存在し得る。この波形の受信は、それがＯＦＤＭシンボル時間（循環プレフィックスを含む）内に到達すると仮定する。正規の測距について、ＷＴＲＵは測距プリアンブルの送信より前にＤＬ内で既に同期され得るので、これは問題にはなり得ない。
【０１２６】
サウンディングチャネルは、サブフレームごとに１つまで、単一のＯＦＤＭシンボルを割り当てることができ、所定のゴレイシーケンスから離れて構築される。ＷＴＲＵは、サウンディング信号を送信する方法に関して、指示され得る。サブキャリアは、サウンディングサブバンド、各７２サブキャリア（５１２、１０２５および２０４８の高速フーリエ変換（ＦＦＴ）について）および２５までのサブバンドに分けられる。ＷＴＲＵは、これらのサブバンドの任意の組合せで、最大１７２８サブキャリアを、送信するように指示され得る。
【０１２７】
複数のＷＴＲＵ（または複数のアンテナ）が、異なるサブフレームに割り当てることによる時分割に加えて、周波数デシメーションまたは循環シフト分離を介して、同サブバンド上で多重化され得る。循環シフト分離では、ゴレイシーケンスの異なるオフセットが、選択され得る。したがって、ＷＴＲＵは、ゴレイシーケンスの自己相関特性によって分けられ得る。周波数デシメーションでは、異なるサブキャリアが、異なるＷＴＲＵに使用され得る。この波形の受信は、それがＯＦＤＭシンボル時間（循環プレフィックスを含む）内で到達したことを仮定することができる。正規の測距について、ＷＴＲＵは測距プリアンプルの送信より前にＵＬで既に同期され得るので、これは問題ではない。
【０１２８】
ＤＬプリアンブルは、１次拡張型および２次拡張型プリアンブル（ＰＡプリアンブルおよびＳＡプリアンブル）を含み得る。ＰＡプリアンブルは、単一のＯＦＤＭシンボル内で交互のサブキャリアを占有し、したがって、自己相関検出器で盲目的に検出することができ、タイミング基準を提供する時間領域内で、繰返し（２ｘ）構造を有し得る。ＰＡプリアンブルは、システム帯域幅の情報を運ぶことができる。合計１１の明確なシーケンスが存在する可能性があり、そのうち７つは現在「予約されている」。
【０１２９】
ＳＡプリアンブルは、帯域幅依存でもよい。シーケンスの選択は、基地局タイプ（マクロ、フェムト、中継など）とセルＩＤを指示することができる。これは、サブシーケンスの順番の選択によって完遂することができ、シーケンス自体は、４位相偏移変調（ＱＰＳＫ）変調される。複数アンテナの場合には、異なるサブシーケンスが、異なるアンテナを介して送信され得る。ＳＡプリアンブル受信は、ＰＡプリアンブルから取得されるタイミング情報を必要とし得る。
【０１３０】
図８は、図７の手順７００を実行するために使用される例示的基地局７１５のブロック図である。本基地局は、受信機８０５、プロセッサ８１０および送信機８１５を含み得る。
【０１３１】
基地局７１５は、ピアトゥピア通信のためのノード発見を実装することができる。送信機８１５は、発見可能なＷＴＲＵにタイミング信号を送信するように指示するコマンド信号を送信するように構成され得る。受信機８０５は、発見可能なＷＴＲＵからタイミング信号を受信した探索するＷＴＲＵから信号を受信するように構成され得る。本タイミング信号は、１次プリアンブルまたは２次プリアンブルのうちの少なくとも１つを含み得る。
【０１３２】
実施形態
１．ピアトゥピア通信を確立する方法であって、
基地局からのコマンド信号の受信に応答して、第１の無線送信／受信ユニット（ＷＴＲＵ）がタイミング信号を送信するステップと、
第１のＷＴＲＵが、そのタイミング信号に応答する第２のＷＴＲＵからハンドシェーク探索信号を受信するステップと
を含む、方法。
２．そのコマンド信号が、第１のＷＴＲＵにいつタイミング信号を送信するかを指示する、実施形態１に記載の方法。
３．そのコマンド信号が、第１のＷＴＲＵにどの送信電力でそのタイミング信号を送信するかを指示する、実施形態１に記載の方法。
４．そのコマンド信号が、第１のＷＴＲＵにどのサブキャリアがそのタイミング信号を運ぶかを指示する、実施形態１に記載の方法。
５．そのタイミング信号が、１次プリアンブルまたは２次プリアンブルのうちの少なくとも１つを含む、実施形態１に記載の方法。
６．第１のＷＴＲＵが、基地局によって制御されるＷＴＲＵのグループに属する、実施形態１から５のいずれか一項に記載の方法。
７．第２のＷＴＲＵが、第２のＷＴＲＵと第１のＷＴＲＵとの間に確立された無線リンクの品質を推定するステップと、
第２のＷＴＲＵが、その推定されたリンクの品質を基地局に報告するかどうかを決定するステップと
をさらに含む、実施形態１から５のいずれか一項に記載の方法。
８．その推定された無線リンクの品質を基地局に報告するかどうかの決定が、基地局によって確立された閾値に基づく、実施形態７に記載の方法。
９．ハンドシェーク探索信号の受信に応答して、第１のＷＴＲＵが、１次プリアンブル、２次プリアンブル、１次スーパーフレームヘッダ（ＳＦＨ）または２次ＳＦＨのうちの少なくとも１つを送信するステップと、
第１のおよび第２のＷＴＲＵが、測距手順を実行するステップと
をさらに含む、実施形態１から８のいずれか一項に記載の方法。
１０．第１のＷＴＲＵが、所定のステップでタイミング信号の送信電力をランプアップするステップと、
第２のＷＴＲＵが、第２のＷＴＲＵと第１のＷＴＲＵとの間に確立された無線リンクの品質を推定するステップと
をさらに含む、実施形態１から９のいずれか一項に記載の方法。
１１．ピアトゥピア通信を確立する方法であって、
第１の無線送信／受信ユニット（ＷＴＲＵ）が、第１の信号を送信するステップと、
第１の信号に応答して、第２のＷＴＲＵが第２の信号を送信するステップであって、その第２の信号が、応答が第１のＷＴＲＵから受信されるまたは最大許容送信電力に達するまで、リスニングウィンドウ中に第２のＷＴＲＵによってランプアップされる送信電力を有する、ステップと
を含む、方法。
１２．その第２の信号が、１次プリアンブルまたは２次プリアンブルのうちの少なくとも１つを含むハンドシェーク探索信号である、実施形態１１に記載の方法。
１３．第１のＷＴＲＵが、基地局に情報を送信するステップと、
その基地局が、第１のＷＴＲＵによってその基地局に送信される情報に基づいて、第１のＷＴＲＵが第２のＷＴＲＵに応答すべきかどうかを決定するステップと
をさらに含む、実施形態１１に記載の方法。
１４．第２の信号の受信に応答して、第１のＷＴＲＵが、１次プリアンブル、２次プリアンブル、１次スーパーフレームヘッダ（ＳＦＨ）または２次ＳＦＨのうちの少なくとも１つを送信するステップと、
第１のおよび第２のＷＴＲＵが測距手順を実行するステップと
をさらに含む、実施形態１１から１３のいずれか一項に記載の方法。
１５．ピアトゥピア通信を確立する方法であって、
第１のワイヤレス送信／受信ユニット（ＷＴＲＵ）が第１の信号を第２のＷＴＲＵに送信するステップと、
第１の信号の受信に応答して第２のＷＴＲＵが第２の信号を送信するステップと、
第２の信号の受信に応答して第１のＷＴＲＵが１次プリアンブル、２次プリアンブル、スーパーフレームヘッダ（ＳＦＨ）または２次ＳＦＨのうちの少なくとも１つを送信するステップと
を含む、方法。
１６．第２の信号が、応答が第１のＷＴＲＵから受信されるまたは最大許容送信電力に達するまでリスニングウィンドウ中に第２のＷＴＲＵよってランプアップされる送信電力を有するハンドシェーク探索信号である、実施形態１５に記載の方法。
１７．第１のおよび第２のＷＴＲＵが測距手順を実行するステップ
をさらに含む、実施形態１５から１６のいずれか一項に記載の方法。
１８．ＷＴＲＵに第２の信号を送信するように指示する基地局からの第１の信号を受信するように構成された、受信機と、
第１の信号に従って第２の信号を送信するように構成された送信機と
を備え、
その受信機が、第２の信号に応答するもう１つのＷＴＲＵから第３の信号を受信するようにさらに構成され、その第３の信号がハンドシェーク探索信号である、
無線送信／受信ユニット（ＷＴＲＵ）。
１９．その送信機が、その受信機が第３の信号を受信するのに応答して、１次プリアンブル、２次プリアンブル、１次スーパーフレームヘッダ（ＳＦＨ）または２次ＳＦＨのうちの少なくとも１つを送信するようにさらに構成された、実施形態１８に記載のＷＴＲＵ。
２０．第２の信号が、１次プリアンブルまたは２次プリアンブルのうちの少なくとも１つを含むタイミング信号である、実施形態１８から１９のいずれか一項に記載のＷＴＲＵ。
【０１３３】
特徴および要素が特定の組合せで前述されるが、各特徴または要素は、単独またはその他の特徴および要素のいずれかとの組合せで使用され得ることが、当業者には理解されよう。加えて、本明細書に記載の実施形態は、コンピュータまたはプロセッサによる実行のためにコンピュータ可読媒体に組み込まれたコンピュータプログラム、ソフトウェア、またはファームウェア内で実装され得る。コンピュータ可読媒体の例は、電子信号（ワイヤードまたはワイヤレス接続を介して送信される）、およびコンピュータ可読記憶媒体を含む。コンピュータ可読記憶媒体の例は、読取り専用メモリ（ＲＯＭ）、ランダムアクセスメモリ（ＲＡＭ）、レジスタ、キャッシュメモリ、半導体メモリデバイス、磁気媒体（たとえば、内部ハードディスクまたは取外し可能ディスク）、光磁気媒体、および、コンパクトディスク（ＣＤ）またはデジタル多用途ディスク（ＤＶＤ）などの光媒体を含むが、これらに限定されない。ソフトウェアと結合したプロセッサは、ＷＴＲＵ、ＵＥ、端末、基地局、ノードＢ、ｅＮＢ、ＨＮＢ、ＨｅＮＢ、ＡＰ、ＲＮＣ、ワイヤレスルータまたは任意のホストコンピュータで使用するための無線周波数送受信機を実装するために使用され得る。
【図１Ａ】
2018067958.tif 000002
【図１Ｂ】
2018067958.tif 000003
【図１Ｃ】
2018067958.tif 000004
【図２】
2018067958.tif 000005
【図３Ａ】
2018067958.tif 000006
【図３Ｂ】
2018067958.tif 000007
【図４】
2018067958.tif 000008
【図５】
2018067958.tif 000009
【図６】
2018067958.tif 000010
【図７】
2018067958.tif 000011
【図８】
2018067958.tif 000012